(57)【要約】  ワイヤレス通信のための方法、システム、およびデバイスについて説明する。送信デバイスは、アンカーチャネル内で発見基準信号(DRS)の一部として通信するための同期信号および周波数ホッピングチャネルのセットを識別し得る。周波数ホッピングチャネルのセットは、ホッピングチャネルのセットの各ホッピングチャネルを利用するための順序を示すためのシーケンスを含み得る。場合によっては、ホッピングシーケンスは、擬似ランダムシーケンスであってよい。さらに、ホッピングシーケンスは、同じ周波数を再訪問する前に、すべてのホッピング周波数を訪問する非反復ホッピングシーケンスまたは非反復ホッピングパターンが利用されるように定義され得る。したがって、各ホッピングチャネルは、時間期間内に等しい回数利用され得、他のホッピングチャネルとほぼ等しい占有時間を有し得る。
2021503212.tif 000002
【特許請求の範囲】
【請求項１】
ワイヤレスデバイスにおけるワイヤレス通信のための方法であって、
同期信号の送信のためのアンカーチャネルおよびデータの送信のための複数の物理ホッピングチャネルを識別するステップと、
前記複数の物理ホッピングチャネルを対応する複数の論理ホッピングチャネルにマッピングするステップと、
前記複数の論理ホッピングチャネル内のすべての論理チャネルが時間期間内に等しい回数使用されるように、前記複数の論理ホッピングチャネル上でデータの通信のために使用されるべきホッピングシーケンスを判定するステップと、
前記ホッピングシーケンスに従って、前記複数の論理ホッピングチャネル上でデータを通信するステップと
を含む、方法。
【請求項２】
前記ホッピングシーケンスを判定するステップが、
送信デバイスのロケーションおよび送信時間に少なくとも部分的に基づいて、擬似ランダムホッピングシーケンスを判定するステップ
を含む、請求項1に記載の方法。
【請求項３】
前記ホッピングシーケンスを判定するステップが、
送信デバイスに関連する物理セル識別子(PCI)および前記データの前記通信のために使用されるべき複数のサブフレーム番号に少なくとも部分的に基づいて、擬似ランダムホッピングシーケンスを判定するステップ
を含む、請求項1に記載の方法。
【請求項４】
前記ホッピングシーケンスを判定するステップが、
前記複数の論理ホッピングチャネルの数を識別するステップと、
前記複数の論理ホッピングチャネルの前記数を有する擬似乱数のモジュロを判定するステップと
を含む、請求項1に記載の方法。
【請求項５】
擬似乱数生成器を使用して前記擬似乱数を判定するステップをさらに含み、
前記擬似乱数生成器の入力が、送信デバイスに関連するPCIと、前記複数の論理ホッピングチャネルの数を識別する前記データの前記通信のために使用されるべき複数のサブフレーム番号とのビット表現の部分を含む、請求項4に記載の方法。
【請求項６】
前記擬似乱数を判定する際に、前記PCIの最上位ビットおよび前記複数のサブフレーム番号の最下位ビットが使用される、請求項5に記載の方法。
【請求項７】
置換関数を使用して前記擬似乱数を判定するステップ
をさらに含む、請求項4に記載の方法。
【請求項８】
前記置換関数が置換5関数を含む、請求項7に記載の方法。
【請求項９】
前記同期信号が、1次同期信号、2次同期信号、物理ブロードキャストチャネル、システム情報ブロック、またはそれらの組合せのうちの少なくとも1つを含む、請求項1に記載の方法。
【請求項１０】
前記データの前記通信が免許不要スペクトラムを介する、請求項1に記載の方法。
【請求項１１】
前記ワイヤレスデバイスがユーザ機器(UE)を含み、前記ホッピングシーケンスに従って、前記複数の論理ホッピングチャネル上で前記データを通信するステップが、
前記ホッピングシーケンスに従って、前記複数のホッピングチャネル上で1つまたは複数のダウンリンク送信を基地局から受信するステップと、
前記ホッピングシーケンスに従って、前記複数のホッピングチャネル上で1つまたは複数のアップリンク送信を前記基地局に送信するステップと
をさらに含む、請求項1に記載の方法。
【請求項１２】
前記ワイヤレスデバイスが基地局を含み、前記ホッピングシーケンスに従って、前記複数の論理ホッピングチャネル上で前記データを通信するステップが、
前記ホッピングシーケンスに従って、前記複数のホッピングチャネル上で1つまたは複数のダウンリンク送信をユーザ機器(UE)に送信するステップと、
前記ホッピングシーケンスに従って、前記複数のホッピングチャネル上で1つまたは複数のアップリンク送信を前記UEから受信するステップと
をさらに含む、請求項1に記載の方法。
【請求項１３】
ワイヤレス通信のための装置であって、
プロセッサと、
前記プロセッサと電子的に通信しているメモリと、
前記メモリ内に記憶された命令とを含み、前記命令が、
同期信号の送信のためのアンカーチャネルおよびデータの送信のための複数の物理ホッピングチャネルを識別し、
前記複数の物理ホッピングチャネルを対応する複数の論理ホッピングチャネルにマッピングし、
前記複数の論理ホッピングチャネル内のすべての論理チャネルが時間期間内に等しい回数使用されるように、前記複数の論理ホッピングチャネル上でデータの通信のために使用されるべきホッピングシーケンスを判定し、
前記ホッピングシーケンスに従って、前記複数の論理ホッピングチャネル上でデータを通信する
ように前記プロセッサによって実行可能な、装置。
【請求項１４】
前記ホッピングシーケンスを判定するように前記プロセッサによって実行可能な前記命令が、
前記装置のロケーションおよび送信時間に少なくとも部分的に基づいて、擬似ランダムホッピングシーケンスを判定する
ように前記プロセッサによって実行可能な命令を含む、請求項13に記載の装置。
【請求項１５】
前記ホッピングシーケンスを判定するように前記プロセッサによって実行可能な前記命令が、
前記装置に関連する物理セル識別子(PCI)および前記データの前記通信のために使用されるべき複数のサブフレーム番号に少なくとも部分的に基づいて、擬似ランダムホッピングシーケンスを判定する
ように前記プロセッサによって実行可能な命令を含む、請求項13に記載の装置。
【請求項１６】
前記ホッピングシーケンスを判定するように前記プロセッサによって実行可能な前記命令が、
前記複数の論理ホッピングチャネルの数を識別し、
前記複数の論理ホッピングチャネルの前記数を有する擬似乱数のモジュロを判定する
ように前記プロセッサによって実行可能な命令を含む、請求項13に記載の装置。
【請求項１７】
前記プロセッサによって実行可能な前記命令が、
擬似乱数生成器の入力が前記装置に関連するPCIと前記複数の論理ホッピングチャネルの数を識別する前記データの前記通信のために使用されるべき複数のサブフレーム番号とのビット表現の部分を含む擬似乱数生成器を使用して前記擬似乱数を判定する
ように前記プロセッサによって実行可能な命令をさらに含む、請求項16に記載の装置。
【請求項１８】
前記擬似乱数を判定する際に、前記PCIの最上位ビットおよび前記複数のサブフレーム番号の最下位ビットが使用される、請求項17に記載の装置。
【請求項１９】
前記プロセッサによって実行可能な前記命令が、
置換関数を使用して前記擬似乱数を判定する
ように前記プロセッサによって実行可能な命令をさらに含む、請求項16に記載の装置。
【請求項２０】
前記置換関数が置換5関数を含む、請求項19に記載の装置。
【請求項２１】
前記同期信号が、1次同期信号、2次同期信号、物理ブロードキャストチャネル、システム情報ブロック、またはそれらの組合せのうちの少なくとも1つを含む、請求項13に記載の装置。
【請求項２２】
前記データの前記通信が免許不要スペクトラムを介する、請求項13に記載の装置。
【請求項２３】
前記装置がユーザ機器(UE)を含み、前記ホッピングシーケンスに従って、前記複数の論理ホッピングチャネル上で前記データを通信するように前記プロセッサによって実行可能な前記命令が、
前記ホッピングシーケンスに従って、前記複数のホッピングチャネル上で1つまたは複数のダウンリンク送信を基地局から受信し、
前記ホッピングシーケンスに従って、前記複数のホッピングチャネル上で1つまたは複数のアップリンク送信を前記基地局に送信する
ように前記プロセッサによって実行可能な命令を含む、請求項13に記載の装置。
【請求項２４】
前記装置が基地局を含み、前記ホッピングシーケンスに従って、前記複数の論理ホッピングチャネル上で前記データを通信するように前記プロセッサによって実行可能な前記命令が、
前記ホッピングシーケンスに従って、前記複数のホッピングチャネル上で1つまたは複数のダウンリンク送信をユーザ機器(UE)に送信し、
前記ホッピングシーケンスに従って、前記複数のホッピングチャネル上で1つまたは複数のアップリンク送信を前記UEから受信する
ように前記プロセッサによって実行可能な命令を含む、請求項13に記載の装置。
【請求項２５】
ワイヤレス通信のための装置であって、
同期信号の送信のためのアンカーチャネルおよびデータの送信のための複数の物理ホッピングチャネルを識別するための手段と、
前記複数の物理ホッピングチャネルを対応する複数の論理ホッピングチャネルにマッピングするための手段と、
前記複数の論理ホッピングチャネル内のすべての論理チャネルが時間期間内に等しい回数使用されるように、前記複数の論理ホッピングチャネル上でデータの通信のために使用されるべきホッピングシーケンスを判定するための手段と、
前記ホッピングシーケンスに従って、前記複数の論理ホッピングチャネル上でデータを通信するための手段と
を含む、装置。
【請求項２６】
前記ホッピングシーケンスを判定するための手段が、
前記装置のロケーションおよび送信時間に少なくとも部分的に基づいて、擬似ランダムホッピングシーケンスを判定するための手段
を含む、請求項25に記載の装置。
【請求項２７】
前記ホッピングシーケンスを前記判定するための手段が、
前記装置に関連する物理セル識別子(PCI)および前記データの前記通信のために使用されるべき複数のサブフレーム番号に少なくとも部分的に基づいて、擬似ランダムホッピングシーケンスを判定するための手段
を含む、請求項25に記載の装置。
【請求項２８】
前記ホッピングシーケンスを前記判定するための手段が、
前記複数の論理ホッピングチャネルの数を識別するための手段と、
前記複数の論理ホッピングチャネルの前記数を有する擬似乱数のモジュロを判定するための手段と
を含む、請求項25に記載の装置。
【請求項２９】
擬似乱数生成器の入力が前記装置に関連するPCIと前記複数の論理ホッピングチャネルの数を識別する前記データの前記通信のために使用されるべき複数のサブフレーム番号とのビット表現の部分を含む擬似乱数生成器を使用して前記擬似乱数を判定するための手段
をさらに含む、請求項28に記載の装置。
【請求項３０】
前記擬似乱数を前記判定する際に、前記PCIの最上位ビットおよび前記複数のサブフレーム番号の最下位ビットが使用される、請求項29に記載の装置。
【請求項３１】
置換関数を使用して前記擬似乱数を判定するための手段
をさらに含む、請求項28に記載の装置。
【請求項３２】
前記置換関数が置換5関数を含む、請求項31に記載の装置。
【請求項３３】
前記同期信号が、1次同期信号、2次同期信号、物理ブロードキャストチャネル、システム情報ブロック、またはそれらの組合せのうちの少なくとも1つを含む、請求項25に記載の装置。
【請求項３４】
前記データの前記通信が免許不要スペクトラムを介する、請求項25に記載の装置。
【請求項３５】
前記装置がユーザ機器(UE)を含み、前記ホッピングシーケンスに従って、前記複数の論理ホッピングチャネル上で前記データを通信するための手段が、
前記ホッピングシーケンスに従って、前記複数のホッピングチャネル上で1つまたは複数のダウンリンク送信を基地局から受信するための手段と、
前記ホッピングシーケンスに従って、前記複数のホッピングチャネル上で1つまたは複数のアップリンク送信を前記基地局に送信するための手段と
をさらに含む、請求項25に記載の装置。
【請求項３６】
前記装置が基地局を含み、前記ホッピングシーケンスに従って、前記複数の論理ホッピングチャネル上で前記データを通信するための手段が、
前記ホッピングシーケンスに従って、前記複数のホッピングチャネル上で1つまたは複数のダウンリンク送信をユーザ機器(UE)に送信するための手段と、
前記ホッピングシーケンスに従って、前記複数のホッピングチャネル上で1つまたは複数のアップリンク送信を前記UEから受信するための手段と
をさらに含む、請求項25に記載の装置。
【請求項３７】
ワイヤレスデバイスにおけるワイヤレス通信のためのコードを記憶する非一時的コンピュータ可読媒体であって、前記コードが、
同期信号の送信のためのアンカーチャネルおよびデータの送信のための複数の物理ホッピングチャネルを識別し、
前記複数の物理ホッピングチャネルを対応する複数の論理ホッピングチャネルにマッピングし、
前記複数の論理ホッピングチャネル内のすべての論理チャネルが時間期間内に等しい回数使用されるように、前記複数の論理ホッピングチャネル上でデータの通信のために使用されるべきホッピングシーケンスを判定し、
前記ホッピングシーケンスに従って、前記複数の論理ホッピングチャネル上でデータを通信する
ように実行可能な命令を含む、非一時的コンピュータ可読媒体。
【請求項３８】
前記ホッピングシーケンスを判定するための前記命令が、
送信デバイスのロケーションおよび送信時間に少なくとも部分的に基づいて、擬似ランダムホッピングシーケンスを判定する
ように実行可能な、請求項37に記載の非一時的コンピュータ可読媒体。
【請求項３９】
前記ホッピングシーケンスを判定するための前記命令が、
送信デバイスに関連する物理セル識別子(PCI)および前記データの前記通信のために使用されるべき複数のサブフレーム番号に少なくとも部分的に基づいて、擬似ランダムホッピングシーケンスを判定する
ように実行可能な、請求項37に記載の非一時的コンピュータ可読媒体。
【請求項４０】
前記ホッピングシーケンスを判定するための前記命令が、
前記複数の論理ホッピングチャネルの数を識別し、
前記複数の論理ホッピングチャネルの前記数を有する擬似乱数のモジュロを判定する
ように実行可能な、請求項37に記載の非一時的コンピュータ可読媒体。
【請求項４１】
前記命令が、
擬似乱数生成器の入力が送信デバイスに関連するPCIと前記複数の論理ホッピングチャネルの数を識別する前記データの前記通信のために使用されるべき複数のサブフレーム番号とのビット表現の部分を含む擬似乱数生成器を使用して前記擬似乱数を判定する
ようにさらに実行可能な、請求項40に記載の非一時的コンピュータ可読媒体。
【請求項４２】
前記擬似乱数を判定する際に、前記PCIの最上位ビットおよび前記複数のサブフレーム番号の最下位ビットが使用される、請求項41に記載の非一時的コンピュータ可読媒体。
【請求項４３】
前記命令が、
置換関数を使用して前記擬似乱数を判定する
ようにさらに実行可能な、請求項40に記載の非一時的コンピュータ可読媒体。
【請求項４４】
前記置換関数が置換5関数を含む、請求項43に記載の非一時的コンピュータ可読媒体。
【請求項４５】
前記同期信号が、1次同期信号、2次同期信号、物理ブロードキャストチャネル、システム情報ブロック、またはそれらの組合せのうちの少なくとも1つを含む、請求項37に記載の非一時的コンピュータ可読媒体。
【請求項４６】
前記データの前記通信が免許不要スペクトラムを介する、請求項37に記載の非一時的コンピュータ可読媒体。
【請求項４７】
前記ワイヤレスデバイスがユーザ機器(UE)を含み、前記ホッピングシーケンスに従って、前記複数の論理ホッピングチャネル上で前記データを通信するための前記命令が、
前記ホッピングシーケンスに従って、前記複数のホッピングチャネル上で1つまたは複数のダウンリンク送信を基地局から受信し、
前記ホッピングシーケンスに従って、前記複数のホッピングチャネル上で1つまたは複数のアップリンク送信を前記基地局に送信する
ように実行可能な、請求項37に記載の非一時的コンピュータ可読媒体。
【請求項４８】
前記ワイヤレスデバイスが基地局を含み、前記ホッピングシーケンスに従って、前記複数の論理ホッピングチャネル上で前記データを通信するための前記命令が、
前記ホッピングシーケンスに従って、前記複数のホッピングチャネル上で1つまたは複数のダウンリンク送信をユーザ機器(UE)に送信し、
前記ホッピングシーケンスに従って、前記複数のホッピングチャネル上で1つまたは複数のアップリンク送信を前記UEから受信する
ように実行可能な、請求項37に記載の非一時的コンピュータ可読媒体。
【発明の詳細な説明】
【技術分野】
【０００１】
相互参照
本特許出願は、各々が出願の譲受人に譲渡され、参照により本明細書に明確に組み込まれている、2018年10月29日に出願した、「Logical Channel Hopping Sequence Design」と題する、Liuらによる米国特許出願第16/173,945号、および2017年11月14日に出願した、「Logical Channel Hopping Sequence Design」と題する、Liuらによる米国仮特許出願第62/586,120号の優先権を主張するものである。
【０００２】
以下は、一般に、ワイヤレス通信に関し、より詳細には、論理チャネルホッピングシーケンス設計に関する。
【背景技術】
【０００３】
ワイヤレス通信システムは、音声、ビデオ、パケットデータ、メッセージング、ブロードキャストなどの、様々なタイプの通信コンテンツを提供するために広く展開されている。これらのシステムは、利用可能なシステムリソース(たとえば、時間、周波数、および電力)を共有することにより、複数のユーザとの通信をサポートすることが可能であり得る。そのような多元接続システムの例には、ロングタームエボリューション(LTE)システムまたはLTEアドバンスト(LTE-A)システムなどの第4世代(4G)システム、およびニューラジオ(NR)システムと呼ばれることがある第5世代(5G)システムが含まれる。これらのシステムは、符号分割多元接続(CDMA)、時分割多元接続(TDMA)、周波数分割多元接続(FDMA)、直交周波数分割多元接続(OFDMA)、または離散フーリエ変換拡散OFDM(DFT-S-OFDM)などの技術を採用し得る。ワイヤレス多元接続通信システムは、場合によってはユーザ機器(UE)と呼ばれることがある複数の通信デバイスのための通信を各々が同時にサポートする、いくつかの基地局またはネットワークアクセスノードを含んでよい。
【０００４】
一部のワイヤレスシステムは、異なる無線周波数スペクトル帯域(たとえば、共有無線周波数スペクトル帯域、認可無線周波数スペクトル帯域、免許不要無線周波数スペクトル帯域(unlicensed radio frequency spectrum band)など)を介した基地局とUEとの間の通信を可能にし得る。最初にセル収集を実行するとき、またはサービングセルと接続したときに1つまたは複数の隣接セルを識別するとき、UEは、UEが基地局と同期し通信することを許可し得る、基地局からの1つまたは複数の発見基準信号(DRS:discovery reference signal)送信を識別することができる。場合によっては、DRS送信は、UEと同じ周波数スペクトル帯域を占有する他のデバイスおよび技術との共存を促進するための周波数ホッピングチャネルのセットをさらに示し得、これは、任意の特定の送信機がシステム内の他の送信機と比較して不均衡な時間量にわたって同じ周波数スペクトル帯域を占有することを防ぐことができる。しかしながら、送信機は、他の周波数ホッピングチャネルよりも長い、周波数ホッピングチャネルのセットからの1個の周波数ホッピングチャネルを利用することもできる。周波数ホッピングチャネルのセットを利用するための改善された技法が所望される。
【発明の概要】
【課題を解決するための手段】
【０００５】
説明する技法は、論理チャネルホッピングシーケンス設計をサポートする、改善された方法、システム、デバイス、または装置に関する。概して、説明する技法は、アンカーチャネル、およびデータ送信のための物理ホッピングチャネルのセットを識別するステップと、物理ホッピングチャネルを論理ホッピングチャネルの対応するセットにマッピングするステップと、論理ホッピングチャネルのセット内のすべての論理チャネルが時間期間内に等しい回数使用されるように、ホッピングシーケンスを判定するステップと、ホッピングシーケンスに従ってデータを通信するステップとを提供する。場合によっては、ホッピングシーケンスは、送信デバイスのロケーション(たとえば、物理セル識別子(PCI))および送信時間(たとえば、複数のサブフレーム番号)に基づいて、擬似ランダムホッピングシーケンスを通じて判定され得る。追加または代替として、論理ホッピングチャネルのセットの各々は、それに関連する対応する擬似乱数を有してよく、ここで、擬似乱数は、擬似乱数生成器(たとえば、置換関数(permutation function))によって判定され得る。
【０００６】
ワイヤレスデバイスにおけるワイヤレス通信の方法について説明する。この方法は、同期信号の送信のためのアンカーチャネルおよびデータの送信のための複数の物理ホッピングチャネルを識別するステップと、複数の物理ホッピングチャネルを対応する複数の論理ホッピングチャネルにマッピングするステップと、複数の論理ホッピングチャネル内のすべての論理チャネルが時間期間内に等しい回数使用されるように、複数の論理ホッピングチャネル上でデータの通信のために使用されるべきホッピングシーケンスを判定するステップと、ホッピングシーケンスに従って、複数の論理ホッピングチャネル上でデータを通信するステップとを含み得る。
【０００７】
ワイヤレスデバイスにおけるワイヤレス通信のための装置について説明する。この装置は、同期信号の送信のためのアンカーチャネルおよびデータの送信のための複数の物理ホッピングチャネルを識別するための手段と、複数の物理ホッピングチャネルを対応する複数の論理ホッピングチャネルにマッピングするための手段と、複数の論理ホッピングチャネル内のすべての論理チャネルが時間期間内に等しい回数使用されるように、複数の論理ホッピングチャネル上でデータの通信のために使用されるべきホッピングシーケンスを判定するための手段と、ホッピングシーケンスに従って、複数の論理ホッピングチャネル上でデータを通信するための手段とを含み得る。
【０００８】
ワイヤレスデバイスにおけるワイヤレス通信のための別の装置について説明する。この装置は、プロセッサと、プロセッサと電子的に通信しているメモリと、メモリ内に記憶された命令とを含み得る。これらの命令は、プロセッサに、同期信号の送信のためのアンカーチャネルおよびデータの送信のための複数の物理ホッピングチャネルを識別させ、複数の物理ホッピングチャネルを対応する複数の論理ホッピングチャネルにマッピングさせ、複数の論理ホッピングチャネル内のすべての論理チャネルが時間期間内に等しい回数使用されるように、複数の論理ホッピングチャネル上でデータの通信のために使用されるべきホッピングシーケンスを判定させ、ホッピングシーケンスに従って、複数の論理ホッピングチャネル上でデータを通信させるように動作可能であり得る。
【０００９】
ワイヤレスデバイスにおけるワイヤレス通信のための非一時的コンピュータ可読媒体について説明する。この非一時的コンピュータ可読媒体は、プロセッサに、同期信号の送信のためのアンカーチャネルおよびデータの送信のための複数の物理ホッピングチャネルを識別させ、複数の物理ホッピングチャネルを対応する複数の論理ホッピングチャネルにマッピングさせ、複数の論理ホッピングチャネル内のすべての論理チャネルが時間期間内に等しい回数使用されるように、複数の論理ホッピングチャネル上でデータの通信のために使用されるべきホッピングシーケンスを判定させ、ホッピングシーケンスに従って、複数の論理ホッピングチャネル上でデータを通信させるように動作可能な命令を含み得る。
【００１０】
上記で説明した方法、装置、および非一時的コンピュータ可読媒体のいくつかの例では、ホッピングシーケンスを判定することは、送信デバイスのロケーションおよび送信時間に基づいて、擬似ランダムホッピングシーケンスを判定することを含む。
【００１１】
上記で説明した方法、装置、および非一時的コンピュータ可読媒体のいくつかの例では、ホッピングシーケンスを判定することは、送信デバイスに関連するPCIおよびデータの送信のために使用されるべき複数のサブフレーム番号に基づいて、擬似ランダムホッピングシーケンスを判定することを含む。
【００１２】
上記で説明した方法、装置、および非一時的コンピュータ可読媒体のいくつかの例では、ホッピングシーケンスを判定することは、複数の論理ホッピングチャネルの数を識別することを含む。上記で説明した方法、装置、および非一時的コンピュータ可読媒体のいくつかの例は、複数の論理ホッピングチャネルの数を有する擬似乱数のモジュロを判定するためのプロセス、特徴、手段、または命令をさらに含み得る。
【００１３】
上記で説明した方法、装置、および非一時的コンピュータ可読媒体のいくつかの例は、その入力が送信デバイスに関連するPCIおよび複数の論理ホッピングチャネルの数を識別するデータの通信のために使用されるべき複数のサブフレーム番号のビット表現の部分を含む、擬似乱数生成器を使用して擬似乱数を判定するためのプロセス、特徴、手段、または命令をさらに含み得る。
【００１４】
上記で説明した方法、装置、および非一時的コンピュータ可読媒体のいくつかの例では、擬似乱数を判定する際に、PCIの最上位ビットおよび複数のサブフレーム番号の最下位ビットが使用され得る。
【００１５】
上記で説明した方法、装置、および非一時的コンピュータ可読媒体のいくつかの例は、置換関数を使用して擬似乱数を判定するためのプロセス、特徴、手段、または命令をさらに含み得る。
【００１６】
本明細書で説明する方法、装置、および非一時的コンピュータ可読媒体のいくつかの例では、置換関数は置換5関数(permutation five function)を含む。
【００１７】
上記で説明した方法、装置、および非一時的コンピュータ可読媒体のいくつかの例では、同期信号は、1次同期信号(PSS)、2次同期信号(SSS)、物理ブロードキャストチャネル(PBCH)、システム情報ブロック(SIB)、またはそれらの組合せのうちの少なくとも1つを含む。
【００１８】
上記で説明した方法、装置、および非一時的コンピュータ可読媒体のいくつかの例では、データの通信は免許不要スペクトラムを介してよい。
【００１９】
本明細書で説明する方法、装置、および非一時的コンピュータ可読媒体のいくつかの例では、ワイヤレスデバイスはユーザ機器(UE)であってよく、ホッピングシーケンスに従って、ホッピングチャネルのセット上で1つまたは複数のダウンリンク送信を基地局から受信し、ホッピングシーケンスに従って、ホッピングチャネルのセット上で1つまたは複数のアップリンク送信を基地局に送信するための動作、特徴、手段、または命令を含み得る。
【００２０】
本明細書で説明する方法、装置、および非一時的コンピュータ可読媒体のいくつかの例では、ワイヤレスデバイスは基地局であってよく、ホッピングシーケンスに従って、ホッピングチャネルのセット上で1つまたは複数のダウンリンク送信をUEに送信し、ホッピングシーケンスに従って、ホッピングチャネルのセット上で1つまたは複数のアップリンク送信をUEから受信するための動作、特徴、手段、または命令を含み得る。
【図面の簡単な説明】
【００２１】
【図１】本開示の態様による論理チャネルホッピングシーケンス設計をサポートするワイヤレス通信用のシステムの一例を示す図である。
【図２】本開示の態様による論理チャネルホッピングシーケンス設計をサポートするワイヤレス通信システムおよび周波数ホッピング方式の一例を示す図である。
【図３】本開示の態様による論理チャネルホッピングシーケンス設計をサポートする周波数ホッピング関数の一例を示す図である。
【図４】本開示の態様による論理チャネルホッピングシーケンス設計をサポートする置換関数の一例を示す図である。
【図５】本開示の態様による論理チャネルホッピングシーケンス設計をサポートするプロセスフローの一例を示す図である。
【図６】本開示の態様による論理チャネルホッピングシーケンス設計をサポートするデバイスのブロック図である。
【図７】本開示の態様による論理チャネルホッピングシーケンス設計をサポートするデバイスのブロック図である。
【図８】本開示の態様による論理チャネルホッピングシーケンス設計をサポートするデバイスのブロック図である。
【図９】本開示の態様による論理チャネルホッピングシーケンス設計をサポートするユーザ機器(UE)を含むシステムのブロック図である。
【図１０】本開示の態様による論理チャネルホッピングシーケンス設計をサポートする基地局を含むシステムのブロック図である。
【図１１】本開示の態様による論理チャネルホッピングシーケンス設計のための方法を示す図である。
【図１２】本開示の態様による論理チャネルホッピングシーケンス設計のための方法を示す図である。
【図１３】本開示の態様による論理チャネルホッピングシーケンス設計のための方法を示す図である。
【図１４】本開示の態様による論理チャネルホッピングシーケンス設計のための方法を示す図である。
【図１５】本開示の態様による論理チャネルホッピングシーケンス設計のための方法を示す図である。
【図１６】本開示の態様による論理チャネルホッピングシーケンス設計のための方法を示す図である。
【発明を実施するための形態】
【００２２】
説明する技法は、免許不要周波数スペクトル、共有周波数スペクトル、または認可周波数スペクトルなど、無線周波数スペクトル内の周波数ホッピングチャネルシーケンスをサポートする、改善された方法、システム、デバイス、または装置に関する。概して、説明する技法は、周波数ホッピングチャネルのセットの各周波数ホッピングチャネルが所与の時間フレーム内でほぼ等しい時間量にわたって利用されるように論理チャネルホッピングシーケンス設計(たとえば、周波数ホッピングチャネルシーケンス)を定義する。
【００２３】
ワイヤレスデバイスは、免許不要無線周波数スペクトルを利用してワイヤレスシステム内で通信に従事するのに先立って、初期システム収集を実行することができる。たとえば、ワイヤレスシステムは、1つまたは複数の同期信号を収集し、システムタイミングおよび同期情報などを判定することによって、初期システム収集を実行し得る。したがって、ユーザ機器(UE)が同期情報(たとえば、基地局に関連するスロットおよびサブフレーム同期)を有すると、UEは基地局と通信し得る。場合によっては、基地局およびUEは、2.4GHz共有周波数スペクトル帯域で動作する拡張マシンタイプ通信(eMTC)ワイヤレスシステム内で通信し得る。追加または代替として、基地局およびUEは、サブ1GHz共有無線周波数スペクトル帯域で狭帯域モノのインターネット(NB-IoT:narrowband Internet-of-things)展開内で動作し得る。
【００２４】
いくつかのワイヤレス通信システム(たとえば、eMTCまたはNB-IoT)では、基地局は、ワイヤレス通信システム用の免許不要周波数スペクトル(たとえば、eMTC用の免許不要周波数スペクトル(eMTC-u)またはNB-IoT用の免許不要周波数スペクトル(NB-IoT-u))内でより高速の収集を可能にするために、事前定義されたアンカーチャネル内で発見基準信号(DRS)の一部として同期信号を送信することができる。UEは、事前定義されたアンカーチャネルを監視して、同期および収集を可能にするためにDRSを識別し受信することができる。DRSは、基地局とUEとの間の通信のための周波数ホッピングチャネルのセットをさらに示し得る。共有無線周波数スペクトル(たとえば、eMTC-uまたはNB-IoT-u)を使用するとき、任意の特定の送信機が不均衡な時間量にわたってスペクトルを占有するのを防ぐために送信ワイヤレスデバイス(たとえば、UEおよび基地局)に対して制限を設けることができる。したがって、周波数ホッピング技法は、たとえば、そのスペクトルを占有する他のデバイスおよび技術との共存を促進し、低減されたチャネル占有時間をもたらすために採用され得る。
【００２５】
基地局は、周波数ホッピングのために利用可能なチャネルのリストからホッピングチャネル(たとえば、eMTC-u用の16個または32個のチャネル)のセットを選定し得る。ホッピングチャネルのセットは、ホッピングチャネルのセットの各ホッピングチャネルを利用するための順序を示すためのシーケンスをさらに含み得る。場合によっては、ホッピングシーケンスは、擬似ランダムシーケンスであってよい。さらに、ホッピングシーケンスは、任意のチャネル上の平均占有時間が、しきい値(たとえば、0.4秒)を採用されるホッピングチャネルの数で乗算したもの(たとえば、0.4秒をホッピングチャネルのセット内のホッピングチャネルの数で乗算したもの)の値に等しい期間内にそのしきい値を超えないように定義され得る。各チャネルに対する平均占有時間がしきい値未満であることを確実にするために、基地局は、同じ周波数再訪問する前に、ホッピング周波数のセットの各ホッピング周波数を訪問する非反復ホッピングシーケンスまたは非反復ホッピングパターンを定義し得る。したがって、各ホッピングチャネルは、時間期間内に等しい回数利用され得、他のホッピングチャネルとほぼ等しい総占有時間を有し得る。
【００２６】
最初に、本開示の態様について、ワイヤレス通信システムの文脈で説明する。さらに、本開示の態様について説明するために、周波数ホッピング方式、および置換関数を含む周波数ホッピング関数が提供される。本開示の態様について、論理チャネルホッピングシーケンス設計に関係するプロセスフロー、装置の図、システムの図、およびフローチャートによってさらに例示し、かつそれらの図を参照しながら説明する。
【００２７】
図1は、本開示の様々な態様によるワイヤレス通信システム100の一例を示す。ワイヤレス通信システム100は、基地局105と、UE115と、コアネットワーク130とを含む。いくつかの例では、ワイヤレス通信システム100は、ロングタームエボリューション(LTE)ネットワーク、LTEアドバンスト(LTE-A)ネットワーク、またはニューラジオ(NR)ネットワークであり得る。場合によっては、ワイヤレス通信システム100は、拡張ブロードバンド通信、超高信頼(たとえば、ミッションクリティカル)通信、低レイテンシ通信、または低コストで低複雑度のデバイスとの通信をサポートし得る。
【００２８】
基地局105は、1つまたは複数の基地局アンテナを介してUE115とワイヤレスに通信し得る。本明細書で説明する基地局105は、基地トランシーバ局、無線基地局、アクセスポイント、無線トランシーバ、ノードB、eノードB(eNB)、(そのいずれもgNBと呼ばれることがある)次世代ノードBもしくはギガノードB、ホームノードB、ホームeノードB、または何らかの他の好適な用語を含み得るか、または、そのように当業者によって呼ばれることがある。ワイヤレス通信システム100は、異なるタイプの基地局105(たとえば、マクロセル基地局またはスモールセル基地局)を含み得る。本明細書で説明するUE115は、マクロeNB、スモールセルeNB、gNB、リレー基地局などを含む、様々なタイプの基地局105およびネットワーク機器と通信することが可能であり得る。
【００２９】
各基地局105は、様々なUE115との通信がサポートされる特定の地理的カバレージエリア110と関連付けられ得る。各基地局105は、通信リンク125を介してそれぞれの地理的カバレージエリア110のための通信カバレージを提供し得、基地局105とUE115との間の通信リンク125は、1つまたは複数のキャリアを利用し得る。ワイヤレス通信システム100内に示された通信リンク125は、UE115から基地局105へのアップリンク送信、または基地局105からUE115へのダウンリンク送信を含んでよい。ダウンリンク送信は順方向リンク送信と呼ばれる場合もあり、アップリンク送信は逆方向リンク送信と呼ばれる場合もある。
【００３０】
基地局105のための地理的カバレージエリア110は、地理的カバレージエリア110の一部分のみを構成するセクタに分割され得、各セクタはセルと関連付けられ得る。たとえば、各基地局105は、マクロセル、スモールセル、ホットスポット、もしくは他のタイプのセル、またはそれらの様々な組合せのための通信カバレージを提供し得る。いくつかの例では、基地局105は可動であり、したがって、移動している地理的カバレージエリア110のための通信カバレージを提供し得る。いくつかの例では、異なる技術に関連する異なる地理的カバレージエリア110は、重複し得、異なる技術に関連する重複する地理的カバレージエリア110は、同じ基地局105によって、または異なる基地局105によってサポートされ得る。ワイヤレス通信システム100は、たとえば、異なるタイプの基地局105が様々な地理的カバレージエリア110のためのカバレージを提供する異種LTE/LTE-AまたはNRネットワークを含み得る。
【００３１】
「セル」という用語は、(たとえば、キャリアを介した)基地局105との通信のために使用される論理通信エンティティを指し、同じまたは異なるキャリアを介して動作する近隣セルを区別するための識別子(たとえば、物理セル識別子(PCI)、仮想セル識別子(VCID))に関連付けられ得る。いくつかの例では、キャリアは複数のセルをサポートすることがあり、異なるセルは、異なるタイプのデバイスのためのアクセスを提供し得る異なるプロトコルタイプ(たとえば、マシンタイプ通信(MTC)、NB-IoT、拡張モバイルブロードバンド(eMBB)、または他のもの)に従って構成され得る。場合によっては、「セル」という用語は、その上で論理エンティティが動作する地理的カバレージエリア110(たとえば、セクタ)の一部分を指すことがある。
【００３２】
UE115は、ワイヤレス通信システム100全体にわたって分散され得、各UE115は固定またはモバイルであり得る。UE115はまた、モバイルデバイス、ワイヤレスデバイス、リモートデバイス、ハンドヘルドデバイス、もしくは加入者デバイス、または何らかの他の好適な用語で呼ばれることがあり、「デバイス」はユニット、局、端末、またはクライアントと呼ばれることもある。UE115は、セルラーフォン、携帯情報端末(PDA)、タブレットコンピュータ、ラップトップコンピュータ、またはパーソナルコンピュータなど、パーソナル電子デバイスであってよい。いくつかの例では、UE115はまた、器具、車両、メーターなど、様々な物品において実装され得る、ワイヤレスローカルループ(WLL)局、モノのインターネット(IoT)デバイス、あらゆるモノのインターネット(IoE)デバイス、またはMTCデバイスなどを指すことがある。
【００３３】
MTCデバイスまたはIoTデバイスなど、いくつかのUE115は、低コストまたは低複雑度のデバイスであり得、マシン間の自動化された通信を(たとえば、マシンツーマシン(M2M)通信を介して)提供し得る。M2M通信またはMTCは、人が介在することなく、デバイスが互いとまたは基地局105と通信することを許可するデータ通信技術を指すことがある。いくつかの例では、M2M通信またはMTCは、センサーまたはメーターを組み込んで情報を測定またはキャプチャし、その情報を利用することができる中央サーバまたはアプリケーションプログラムにその情報を中継するか、またはプログラムもしくはアプリケーションと対話する人にその情報を提示するデバイスからの通信を含み得る。いくつかのUE115は、情報を集めるか、またはマシンの自動化された挙動を可能にするように設計され得る。MTCデバイスのための適用例の例は、スマートメータリング、インベントリ監視、水位監視、機器監視、ヘルスケア監視、野生生物監視、天候および地質学的事象監視、フリート管理および追跡、リモートセキュリティ検知、物理的アクセス制御、ならびにトランザクションベースのビジネスの課金を含む。
【００３４】
いくつかのUE115は、半二重通信など、電力消費を削減する動作モード(たとえば、送信または受信による単方向の通信をサポートするが、送信および受信を同時にはサポートしないモード)を採用するように構成され得る。いくつかの例では、半二重通信は、低減されたピークレートで実行され得る。UE115向けの他の電力節約技法は、アクティブ通信に従事していないとき、省電力「ディープスリープ」モードに入ること、または(たとえば、狭帯域通信に従って)有限帯域幅にわたって動作することを含む。場合によっては、UE115は、クリティカルな機能(たとえば、ミッションクリティカルな機能)をサポートするように設計されてよく、ワイヤレス通信システム100はこれらの機能のために超高信頼通信を提供するように構成されることがある。
【００３５】
場合によっては、UE115はまた、(たとえば、ピアツーピア(P2P)プロトコルまたはデバイスツーデバイス(D2D)プロトコルを使用して)他のUE115と直接通信することが可能であってよい。D2D通信を利用するUE115のグループのうちの1つまたは複数は、基地局105の地理的カバレージエリア110内にあってよい。そのようなグループ内の他のUE115は、基地局105の地理的カバレージエリア110の外にあるか、またはさもなければ基地局105からの送信を受信することができない場合がある。場合によっては、D2D通信を介して通信するUE115のグループは、各UE115がグループ中のあらゆる他のUE115に送信する1対多(1:M)システムを利用し得る。場合によっては、基地局105が、D2D通信のためのリソースのスケジューリングを促進する。他の場合には、D2D通信は、基地局105が関与することなくUE115間で行われる。
【００３６】
基地局105は、コアネットワーク130および互いと通信し得る。たとえば、基地局105は、バックホールリンク132を介して(たとえば、S1または他のインターフェースを介して)コアネットワーク130とインターフェースすることができる。基地局105は、直接的に(たとえば、基地局105間で直接的に)または間接的に(たとえば、コアネットワーク130を介して)のいずれかで、バックホールリンク134上で(たとえば、X2または他のインターフェースを介して)互いと通信し得る。
【００３７】
コアネットワーク130は、ユーザ認証、アクセス許可、追跡、インターネットプロトコル(IP)接続性、および他のアクセス機能、ルーティング機能、またはモビリティ機能を提供し得る。コアネットワーク130は、発展型パケットコア(EPC)であってよく、EPCは、少なくとも1つのモビリティ管理エンティティ(MME)と、少なくとも1つのサービングゲートウェイ(S-GW)と、少なくとも1つのパケットデータネットワーク(PDN)ゲートウェイ(P-GW)とを含み得る。MMEは、EPCと関連する基地局105によってサービスされるUE115のためのモビリティ、認証、およびベアラ管理などの、非アクセス層(たとえば、制御プレーン)機能を管理し得る。ユーザIPパケットは、それ自体がP-GWに接続され得るS-GWを通じて転送され得る。P-GWはIPアドレス割振りならびに他の機能を与え得る。P-GWは、ネットワーク事業者のIPサービスに接続され得る。事業者のIPサービスは、インターネット、イントラネット、IPマルチメディアサブシステム(IMS)、またはパケット交換(PS)ストリーミングサービスへのアクセスを含み得る。
【００３８】
基地局105などのネットワークデバイスのうちの少なくともいくつかは、アクセスネットワークエンティティなどの副構成要素を含んでよく、アクセスネットワークエンティティは、アクセスノードコントローラ(ANC)の一例であってよい。各アクセスネットワークエンティティは、無線ヘッド、スマート無線ヘッド、または送受信ポイント(TRP)と呼ばれることがある、いくつかの他のアクセスネットワーク送信エンティティを通して、UE115と通信し得る。いくつかの構成では、各アクセスネットワークエンティティまたは基地局105の様々な機能は、様々なネットワークデバイス(たとえば、無線ヘッドおよびアクセスネットワークコントローラ)にわたって分散されてよく、または単一のネットワークデバイス(たとえば、基地局105)内に統合され得る。
【００３９】
ワイヤレス通信システム100は、通常は300MHzから300GHzの範囲にある、1つまたは複数の周波数帯域を使用して動作し得る。一般に、300MHzから3GHzの領域は、極超短波(UHF:ultra-high frequency)領域またはデシメートル帯域として知られているが、これは、波長の長さが、およそ1デシメートルから1メートルに及ぶからである。UHF波は、建物および環境特性によって遮蔽されることがあり、または方向転換されることがある。しかしながら、これらの波は、マクロセルが屋内に位置するUE115にサービスを提供するのに十分に構造を貫通し得る。UHF波の送信は、300MHzを下回るスペクトルの短波(HF:high frequency)部分または超短波(VHF:very high frequency)部分のより低い周波数およびより長い波を使用する送信と比較して、より小型のアンテナおよびより短い到達距離(たとえば、100km未満)と関連付けられ得る。
【００４０】
ワイヤレス通信システム100はまた、センチメートル帯域としても知られている、3GHzから30GHzまでの周波数帯域を使用するセンチメートル波(SHF:super high frequency)領域内で動作し得る。SHF領域は、他のユーザからの干渉を許容し得るデバイスによって日和見的に使用され得る5GHz産業科学医療(ISM)帯域などの帯域を含む。
【００４１】
ワイヤレス通信システム100は、ミリメートル帯域としても知られている、(たとえば、30GHzから300GHzの)スペクトルのミリ波(EHF:extremely high frequency)領域内で動作することもできる。いくつかの例では、ワイヤレス通信システム100は、UE115と基地局105との間のミリメートル波(mmW)通信をサポートすることができ、それぞれのデバイスのEHFアンテナは、UHFアンテナよりさらに小さいことがあり、より密に間隔が空けられることがある。場合によっては、これは、UE115内のアンテナアレイの使用を促進し得る。しかしながら、EHF送信の伝搬は、SHF送信またはUHF送信よりもさらに大きい大気減衰を受け、到達距離がより短いことがある。本明細書で開示する技法は、1つまたは複数の異なる周波数領域を使用する送信にわたって採用されることがあり、これらの周波数領域にわたる帯域の指定される使用は、国ごとにまたは規制団体ごとに異なり得る。
【００４２】
場合によっては、ワイヤレス通信システム100は、認可無線周波数スペクトル帯域と免許不要無線周波数スペクトル帯域の両方を利用し得る。たとえば、ワイヤレス通信システム100は、5GHz ISM帯域などの免許不要帯域において、認可支援アクセス(LAA:License Assisted Access)、LTE免許不要(LTE-U:LTE-Unlicensed)無線アクセス技術、またはNR技術を採用し得る。免許不要無線周波数スペクトル帯域において動作するとき、基地局105およびUE115などのワイヤレスデバイスは、データを送信する前に周波数チャネルがクリアであることを保証するために、リッスンビフォアトーク(LBT)手順を採用し得る。場合によっては、免許不要帯域における動作は、認可帯域において動作するCCとともにCA構成に基づいてよい(たとえば、LAA)。免許不要スペクトラム(unlicensed )における動作は、ダウンリンク送信、アップリンク送信、ピアツーピア送信、またはこれらの組合せを含み得る。免許不要スペクトラムにおける複信は、周波数分割複信(FDD)、時分割複信(TDD)、またはその両方の組合せに基づき得る。
【００４３】
いくつかの例では、基地局105またはUE115は複数のアンテナを装備してよく、アンテナは、送信ダイバーシティ、受信ダイバーシティ、多入力多出力(MIMO)通信、またはビームフォーミングなどの技法を採用するのに使用され得る。たとえば、ワイヤレス通信システム100は、送信デバイス(たとえば、基地局105)と受信デバイス(たとえば、UE115)との間の送信方式を使用することができ、ここで、送信デバイスは、複数のアンテナを装備し、受信デバイスは、1つまたは複数のアンテナを装備する。MIMO通信は、空間多重化と呼ばれることがある、異なる空間レイヤを介して複数の信号を送信または受信することによってスペクトル効率を高めるためにマルチパス信号伝搬を採用することができる。複数の信号は、たとえば、異なるアンテナまたはアンテナの異なる組合せを介して送信デバイスによって送信され得る。同様に、複数の信号は、異なるアンテナまたはアンテナの異なる組合せを介して受信デバイスによって受信され得る。複数の信号の各々は、別個の空間ストリームと呼ばれることがあり、同じデータストリーム(たとえば、同じコードワード)または異なるデータストリームに関連するビットを搬送し得る。異なる空間レイヤは、チャネルの測定および報告のために使用される異なるアンテナポートに関連付けられてよい。MIMO技法は、複数の空間レイヤが同じ受信デバイスに送信されるシングルユーザMIMO(SU-MIMO)、および複数の空間レイヤが複数のデバイスに送信されるマルチユーザMIMO(MU-MIMO)を含む。
【００４４】
空間フィルタリング、指向性送信、または指向性受信と呼ばれることもあるビームフォーミングは、送信デバイスと受信デバイスとの間の空間経路に沿ってアンテナビーム(たとえば、送信ビームまたは受信ビーム)を成形または誘導する(steer)ために、送信デバイスまたは受信デバイス(たとえば、基地局105またはUE115)において使用され得る信号処理技法である。ビームフォーミングは、アンテナアレイに対して特定の配向において伝搬する信号が強め合う干渉を経ると同時に他の信号が弱め合う干渉を経るように、アンテナアレイのアンテナ要素を介して通信される信号を結合することによって達成され得る。アンテナ要素を介して通信される信号の調節は、送信デバイスまたは受信デバイスが、デバイスに関連するアンテナ要素の各々を介して搬送される信号に、いくつかの振幅および位相オフセットを適用することを含み得る。アンテナ要素の各々に関連する調節は、(たとえば、送信デバイスまたは受信デバイスのアンテナアレイに対して、または何らかの他の配向に対して)特定の配向に関連するビームフォーミング重みセットによって定義され得る。
【００４５】
一例では、基地局105は、複数のアンテナまたはアンテナアレイを使用して、UE115との指向性通信のためのビームフォーミング動作を行うことができる。たとえば、いくつかの信号(たとえば同期信号、基準信号、ビーム選択信号、または他の制御信号)は、基地局105によって異なる方向に複数回送信される場合があり、このことは、信号が、異なる送信方向に関連付する異なるビームフォーミング重みセットに従って送信されることを含み得る。異なるビーム方向における送信は、基地局105による後続送信および/または受信のためのビーム方向を(たとえば、基地局105またはUE115などの受信デバイスによって)識別するのに使用され得る。特定の受信デバイスに関連するデータ信号など、いくつかの信号は、基地局105によって単一のビーム方向(たとえば、UE115などの受信デバイスに関連する方向)で送信され得る。いくつかの例では、単一のビーム方向に沿った送信に関連するビーム方向は、異なるビーム方向に送信された信号に少なくとも部分的に基づいて判定され得る。たとえば、UE115が、基地局105によって異なる方向に送信された信号のうちの1つまたは複数を受信する場合があり、UE115は、最高の信号品質、またはそうでなく許容可能な信号品質を有する、受信した信号の指示を基地局105に報告すればよい。これらの技法について、基地局105によって1つまたは複数の方向に送信される信号を参照しながら説明するが、UE115は、(たとえば、UE115による後続の送信または受信のためのビーム方向を識別するために)信号を異なる方向に複数回送信するために、または(たとえば、データを受信デバイスに送信するために)信号を単一の方向に送信するために同様の技法を採用し得る。
【００４６】
受信デバイス(たとえば、mmW受信デバイスの一例であり得るUE115)は、同期信号、基準信号、ビーム選択信号、または他の制御信号など、様々な信号を基地局105から受信するとき、複数の受信ビームを試みることができる。たとえば、受信デバイスは、異なるアンテナサブアレイを介して受信することによって、異なるアンテナサブアレイに従って、受信された信号を処理することによって、アンテナアレイの複数のアンテナ要素において受信された信号に適用された異なる受信ビームフォーミング重みセットに従って受信することによって、またはアンテナアレイの複数のアンテナ要素において受信された信号に適用された異なる受信ビームフォーミング重みセットに従って、受信された信号を処理することによって、複数の受信方向を試みることができ、それらのいずれも、異なる受信ビームまたは受信方向に従った「聴取」と呼ばれることがある。いくつかの例では、受信デバイスは、(たとえば、データ信号を受信するとき)単一のビーム方向に沿って受信するために単一の受信ビームを使用することができる。単一の受信ビームは、異なる受信ビーム方向に従った聴取に基づいて判定されたビーム方向(たとえば、複数のビーム方向に従った聴取に基づいて、最高の信号強度、最高の信号対雑音比、またはそうでなく許容可能な信号品質を有すると判定されたビーム方向)で位置合わせされ得る。
【００４７】
場合によっては、基地局105またはUE115のアンテナは、MIMO動作をサポートし得るか、またはビームフォーミングを送信もしくは受信し得る、1つまたは複数のアンテナアレイ内に位置し得る。たとえば、1つまたは複数の基地局アンテナまたはアンテナアレイは、アンテナタワーなどのアンテナアセンブリにおいて併置されてよい。場合によっては、基地局105に関連するアンテナまたはアンテナアレイは、多様な地理的ロケーションに位置し得る。基地局105は、基地局105がUE115との通信のビームフォーミングをサポートするために使用することができるアンテナポートのいくつかの行および列を有するアンテナアレイを有してよい。同様に、UE115は、様々なMIMO動作またはビームフォーミング動作をサポートすることができる1つまたは複数のアンテナアレイを有してよい。
【００４８】
場合によっては、ワイヤレス通信システム100は、階層化プロトコルスタックに従って動作するパケットベースのネットワークであり得る。ユーザプレーンでは、ベアラまたはパケットデータコンバージェンスプロトコル(PDCP)レイヤにおける通信は、IPベースであり得る。無線リンク制御(RLC)レイヤは、場合によっては、論理チャネルを介して通信するためのパケットセグメント化および再アセンブリを実行し得る。媒体アクセス制御(MAC)レイヤは、優先度の処理およびトランスポートチャネルへの論理チャネルの多重化を実行し得る。MACレイヤはまた、MACレイヤにおける再送信を行ってリンク効率を改善するために、ハイブリッド自動再送要求(HARQ)を使用し得る。制御プレーンでは、無線リソース制御(RRC)プロトコルレイヤが、ユーザプレーンデータのための無線ベアラをサポートする、UE115と基地局105またはコアネットワーク130との間のRRC接続の確立、構成、および保守を行い得る。物理(PHY)レイヤにおいて、トランスポートチャネルは物理チャネルにマッピングされ得る。
【００４９】
場合によっては、UE115および基地局105は、データが受信に成功する可能性を高めるためにデータの再送信をサポートすることができる。HARQフィードバックは、データが通信リンク125を介して正確に受信される可能性を高める1つの技法である。HARQは、(たとえば、巡回冗長検査(CRC)を使用する)誤り検出、前方誤り訂正(FEC)、および再送信(たとえば、自動再送要求(ARQ))の組合せを含んでよい。HARQは、不十分な無線状態(たとえば、信号対雑音状態)におけるMACレイヤでのスループットを改善することができる。場合によっては、ワイヤレスデバイスは、デバイスがスロット内の前のシンボル内で受信されたデータ用の特定のスロットにおいてHARQフィードバックを実現することができる、同一スロットHARQフィードバックをサポートすることができる。他の場合には、デバイスは、後続のスロットにおいて、または何らかの他の時間間隔に従ってHARQフィードバックを実現することができる。
【００５０】
LTEまたはNRにおける時間間隔は、たとえば、Ts=1/30,720,000秒のサンプリング周期を指す場合がある基本時間単位の倍数で表され得る。通信リソースの時間間隔は、各々が10ミリ秒(ms)の持続時間を有する無線フレームに従って編成されてもよく、ここでフレーム期間は、Tf=307,200Tsとして表され得る。無線フレームは、0から1023に及ぶシステムフレーム番号(SFN)によって識別され得る。各フレームは、0から9に番号付けされた10個のサブフレームを含んでよく、各サブフレームは、1msの持続時間を有し得る。サブフレームはさらに、2つのスロットへと分割されることがあり、これらの各々が、0.5msの持続時間を有し、各スロットは、(たとえば、各シンボル期間の先頭に追加されるサイクリックプレフィックスの長さに応じて)6個または7個の変調シンボル期間を含み得る。サイクリックプレフィックスを除いて、各シンボル期間は、2048個のサンプリング周期を含み得る。場合によっては、サブフレームは、ワイヤレス通信システム100の最も小さいスケジューリング単位であってよく、送信時間間隔(TTI)と呼ばれることがある。他の場合には、ワイヤレス通信システム100の最も小さいスケジューリング単位は、サブフレームよりも短くてよく、または(たとえば、短縮TTI(sTTI)のバースト中で、もしくはsTTIを使用する選択されたコンポーネントキャリア中で)動的に選択されてよい。
【００５１】
いくつかのワイヤレス通信システムでは、スロットは、1個または複数のシンボルを含む複数のミニスロットにさらに分割され得る。いくつかの事例では、ミニスロットのシンボルまたはミニスロットは、スケジューリングの最小単位であり得る。各シンボルは、たとえば、サブキャリア間隔または動作の周波数帯域に応じて、持続時間の点で異なり得る。さらに、いくつかのワイヤレス通信システムは、複数のスロットまたはミニスロットが一緒にアグリゲートされ、UE115と基地局105との間の通信のために使用されるスロットアグリゲーションを実装し得る。
【００５２】
「キャリア」という用語は、通信リンク125を介して通信をサポートするための定義された物理レイヤ構造を有する無線周波数スペクトルリソースのセットを指す。たとえば、通信リンク125のキャリアは、所与の無線アクセス技術に対する物理レイヤチャネルに従って動作する無線周波数スペクトル帯域の一部分を含み得る。各物理レイヤチャネルは、ユーザデータ、制御情報、または他のシグナリングを搬送することができる。キャリアは、事前定義された周波数チャネル(たとえば、E-UTRA絶対無線周波数チャネル番号(EARFCN:E-UTRA absolute radio frequency channel number))と関連付けられることがあり、UE115による発見のためにチャネルラスタに従って配置されることがある。キャリアは、ダウンリンクまたはアップリンク(たとえば、FDDモードにおける)であってもよく、またはダウンリンク通信およびアップリンク通信(たとえば、TDDモードにおける)を搬送するように構成されてもよい。いくつかの例では、キャリアを介して送信される信号波形は、(たとえば、OFDMまたはDFT-s-OFDMなど、マルチキャリア変調(MCM)技法を使用して)複数のサブキャリアから構成され得る。
【００５３】
キャリアの編成構造は、異なる無線アクセス技術(たとえば、LTE、LTE-A、NRなど)に対して異なる場合がある。たとえば、キャリアを介した通信は、TTIまたはスロットに従って編成されてもよく、それらの各々は、ユーザデータならびにユーザデータの復号をサポートするための制御情報またはシグナリングを含んでもよい。キャリアはまた、専用の収集シグナリング(たとえば、同期信号またはシステム情報など)とキャリアに対する動作を協調させる制御シグナリングとを含み得る。いくつかの例では(たとえば、キャリアアグリゲーション構成では)、キャリアは、他のキャリアに対する動作を協調させる収集シグナリングまたは制御シグナリングも有し得る。
【００５４】
物理チャネルは、様々な技法に従ってキャリア上で多重化されてよい。物理制御チャネルおよび物理データチャネルは、たとえば、時分割多重化(TDM)技法、周波数分割多重化(FDM)技法、またはハイブリッドTDM-FDM技法を使用して、ダウンリンクキャリア上で多重化されてよい。いくつかの例では、物理制御チャネル内で送信される制御情報は、カスケード方式で異なる制御領域の間で(たとえば、共通制御領域または共通探索空間と1つまたは複数のUE固有制御領域またはUE固有探索空間との間で)分散されてよい。
【００５５】
キャリアは、無線周波数スペクトルの特定の帯域幅に関連付けられてよく、いくつかの例では、キャリア帯域幅は、キャリアまたはワイヤレス通信システム100の「システム帯域幅」と呼ばれることがある。たとえば、キャリア帯域幅は、特定の無線アクセス技術のキャリア用のいくつかの所定の帯域幅(たとえば、1.4、3、5、10、15、20、40、または80MHz)のうちの1つであってよい。いくつかの例では、各被サービスUE115は、キャリア帯域幅のいくつかの部分またはすべてにわたって動作するように構成され得る。他の例では、いくつかのUE115は、キャリア内の事前定義された部分または範囲(たとえば、サブキャリアまたはRBのセット)に関連付けられている狭帯域プロトコルタイプを使用する動作のために構成され得る(たとえば、狭帯域プロトコルタイプの「帯域内」展開)。
【００５６】
MCM技法を採用するシステムでは、リソース要素は1個のシンボル期間(たとえば、1個の変調シンボルの持続時間)および1個のサブキャリアからなってよく、シンボル期間およびサブキャリア間隔は逆関係にある。各リソース要素によって搬送されるビットの数は、変調方式(たとえば、変調方式の次数)に依存し得る。したがって、UE115が受信するリソース要素が多いほど、かつ変調方式の次数が高いほど、UE115のデータレートは高くなる。MIMOシステムでは、ワイヤレス通信リソースが、無線周波数スペクトルリソース、時間リソース、および空間リソース(たとえば、空間レイヤ)の組合せを指すことができ、複数の空間レイヤの使用が、UE115との通信のためのデータレートをさらに増大し得る。
【００５７】
ワイヤレス通信システム100のデバイス(たとえば、基地局105またはUE115)は、特定のキャリア帯域幅を介した通信をサポートするハードウェア構成を有してよいか、またはキャリア帯域幅のセットのうちの1つを介した通信をサポートするように構成可能であり得る。いくつかの例では、ワイヤレス通信システム100は、複数の異なるキャリア帯域幅に関連するキャリアを介して同時通信をサポートし得る基地局105および/またはUEを含み得る。
【００５８】
ワイヤレス通信システム100は、複数のセルまたはキャリア上でのUE115との通信、すなわち、キャリアアグリゲーション(CA)またはマルチキャリア動作と呼ばれることがある特徴をサポートし得る。UE115は、キャリアアグリゲーション構成に従って、複数のダウンリンクCCおよび1つまたは複数のアップリンクCCで構成され得る。キャリアアグリゲーションは、FDDコンポーネントキャリアとTDDコンポーネントキャリアの両方とともに使用され得る。
【００５９】
場合によっては、ワイヤレス通信システム100は、拡張コンポーネントキャリア(eCC)を利用し得る。eCCは、より広いキャリアもしくは周波数チャネル帯域幅、より短いシンボル持続時間、より短いTTI持続時間、または修正された制御チャネル構成を含む、1つまたは複数の特徴によって特徴付けられ得る。場合によっては、eCCは、(たとえば、複数のサービングセルが準最適または非理想的なバックホールリンクを有するとき)キャリアアグリゲーション構成またはデュアル接続性構成に関連付けられてよい。eCCは、(たとえば、複数の事業者がスペクトルを使用することを許可される場合)免許不要スペクトラムまたは共有スペクトルでの使用のために構成されてもよい。広キャリア帯域幅によって特徴付けられるeCCは、全キャリア帯域幅を監視することが可能でないか、またはさもなければ(たとえば、電力を節約するために)限られたキャリア帯域幅を使用するように構成されるUE115によって利用され得る1つまたは複数のセグメントを含み得る。
【００６０】
場合によっては、eCCは、他のCCとは異なるシンボル持続時間を利用してよく、そのことは、他のCCのシンボル持続時間と比較して短縮されたシンボル持続時間の使用を含んでよい。より短いシンボル持続時間は、隣接するサブキャリア同士の間の間隔の増大に関連付けられ得る。eCCを利用する、UE115または基地局105などのデバイスは、短縮されたシンボル持続時間(たとえば、16.67マイクロ秒)において広帯域信号を(たとえば、周波数チャネルまたは20、40、60、80MHzなどのキャリア帯域幅に従って)送信し得る。eCC内のTTIは、1個または複数のシンボル期間からなり得る。場合によっては、TTI持続時間(すなわち、TTI内のシンボル期間の数)は可変であり得る。
【００６１】
NRシステムなどのワイヤレス通信システムは、とりわけ、認可スペクトル帯域、共有スペクトル帯域、および免許不要スペクトラム帯域の任意の組合せを利用し得る。eCCシンボル持続時間およびサブキャリア間隔の柔軟性によって、複数のスペクトルにわたるeCCの使用が可能になり得る。いくつかの例では、特にリソースの動的な垂直方向(たとえば、周波数にわたる)および水平方向(たとえば、時間にわたる)の共有によって、NR共有スペクトルは、スペクトル利用率およびスペクトル効率を高め得る。
【００６２】
ワイヤレスネットワークにアクセスすることを試みるUE115は、基地局105からの1次同期信号(PSS)を検出することによって初期セル探索を実行してもよい。PSSは、スロットタイミングの同期を可能にし得、物理レイヤ識別情報値を示し得る。次いで、UE115は2次同期信号(SSS)を受信し得る。SSSは、無線フレームの同期を可能にでき、セルを識別するための物理レイヤ識別情報値と組み合わされ得る、セル識別情報値を提供することができる。SSSはまた、複信モードおよびサイクリックプレフィックス長の検出を可能にし得る。TDDシステムなどの一部のシステムは、PSSを送信するが、SSSを送信しないことがあり、またはその逆も同様である。PSSとSSSの両方は、それぞれ、キャリアの中央のサブキャリア(たとえば、62個のサブキャリアおよび72個のサブキャリア)内に位置してもよい。場合によっては、UE115は、一連の累積的なコヒーレント副相関(sub-correlations)の結合を含む相関を実行することによって同期信号を収集することができ、ここで、副相関は、各間隔の間に受信された信号と同期信号内の事前定義された反復シーケンスとの間の比較に関連し得る。
【００６３】
初期セル同期を完了した後、UE115は、マスタ情報ブロック(MIB)を受信することができ、MIBを復号し得る。MIBは、システム帯域幅情報、SFN、および物理ハイブリッド自動再送要求(HARQ)インジケータチャネル(PHICH)構成を含んでもよい。MIBは、物理ブロードキャストチャネル(PBCH)上で送信されることがあり、各無線フレームの最初のサブフレームの2番目のスロットの最初の4個の直交周波数分割多元接続(OFDMA)シンボルを利用することがある。MIBは、周波数領域では、中間の6個のリソースブロック(72個のサブキャリア)を使用してよい。MIBは、リソースブロックに関するダウンリンクチャネル帯域幅、PHICH構成(持続時間およびリソース割当て)、およびSFNを含む、UE初期アクセスのための情報の数個の重要な断片を搬送する。新しいMIBは、4個の無線フレームごとに(SFN mod 4=0)ブロードキャストされ、フレームごとに(10ms)再ブロードキャストされ得る。各反復は、異なるスクランブリングコードでスクランブリングされる。MIB(新しいバージョンまたはコピーのいずれか)を読み取った後、UE115は、巡回冗長検査(CRC)が成功するまで、スクランブリングコードの異なる位相を試み得る。スクランブリングコードの位相(0、1、2または3)は、UE115が、4つの反復のうちのどれが受信されたかを特定することを可能にし得る。このようにして、UE115は、復号された送信中のSFNを読み取り、スクランブリングコード位相を加算することによって、現在のSFNを判定し得る。
【００６４】
MIBを復号した後、UE115は、1つまたは複数のシステム情報ブロック(SIB)を受信し得る。たとえば、第1のSIB(SIB1)は、セルアクセスパラメータと、他のSIBのためのスケジューリング情報とを含んでもよい。SIB1を復号することは、UE115が第2のSIB(SIB2)を受信することを可能にし得る。SIB2は、ランダムアクセスチャネル(RACH)手順、ページング、物理アップリンク制御チャネル(PUCCH)、物理アップリンク共有チャネル(PUSCH)、電力制御、SRS、およびセル禁止(cell barring)に関するRRC構成情報を含み得る。UE115は、したがって、ネットワークにアクセスするのに先立って、SIB1およびSIB2を復号し得る。搬送されるシステム情報のタイプに従って異なるSIBが定義されることがある。新たなSIB1は、8個のフレームごとに(SFN mod 8=0)第5のサブフレームの中で送信され、1つおきのフレームで(20ms)再ブロードキャストされ得る。さらに、SIB1は、セル識別情報を含むアクセス情報を含み、それは、UEが基地局105のセルにキャンプオンすることを許可されているかどうかを示し得る。SIB1はまた、セル選択情報(または、セル選択パラメータ)を含む。さらに、SIB1は、他のSIBのためのスケジューリング情報を含む。SIB2は、SIB1の中の情報に従って動的にスケジュールされることがあり、共通チャネルおよび共有チャネルに関するアクセス情報およびパラメータを含む。SIB2の周期性は、8個、16個、32個、64個、128個、256個、または512個の無線フレームに設定され得る。
【００６５】
UE115は、SIB2を復号した後、RACHプリアンブルを基地局105に送信し得る。これはRACHメッセージ1として知られていることがある。たとえば、RACHプリアンブルは、64個の所定のシーケンスのセットからランダムに選択され得る。これによって、基地局105は、システムに同時にアクセスしようとする複数のUE115の間で区別することが可能であり得る。基地局105は、アップリンクリソース許可と、タイミングアドバンスと、一時セル無線ネットワーク一時識別情報(C-RNTI)とを提供し得る、ランダムアクセス応答(RAR)、またはRACHメッセージ2で応答し得る。次いで、UE115は、RARを受信した後で、一時モバイル加入者識別情報(TMSI)(たとえば、UE115が以前に同じワイヤレスネットワークに接続されていた場合)またはランダム識別子とともに、RRC接続要求、またはRACHメッセージ3を送信することができる。RRC接続要求は、UE115がネットワークに接続している理由(たとえば、緊急、シグナリング、データ交換など)を示すこともできる。基地局105は、新しいC-RNTIを与え得る、UE115に宛てられた競合解消メッセージまたはRACHメッセージ4で接続要求に応答し得る。UE115が、正しい識別情報を有する競合解消メッセージを受信した場合、UE115は、RRCセットアップを進め得る。UE115は、競合解消メッセージを受信しない場合(たとえば、別のUE115と競合する場合)、新しいRACHプリアンブルを送信することによってRACHプロセスを繰り返し得る。
【００６６】
いくつかのワイヤレス通信システムでは、基地局105は、アンカーチャネル上のDRS内にPSS、SSS、PBCH、低減されたSIB、またはそれらの組合せを含み得る。UE115は、アンカーチャネルを監視して、DRS内の同期信号を識別または受信することができる。さらに、DRSは、UE115がUE115と同じ周波数スペクトルを占有する他のデバイスおよび技術と共存するために利用するために、かつ低減されたチャネル占有時間のために、周波数ホッピングチャネルのセットおよび周波数ホッピングチャネルシーケンスの物理的ロケーションを低減されたSIB内に含めることができる。場合によっては、周波数ホッピングチャネルシーケンスは、任意のチャネル上の平均占有時間が、しきい値(たとえば、0.4秒)をホッピングチャネルのセット内で採用されるホッピングチャネルの数で乗算したものの値に等しい期間内にそのしきい値を超えないように定義され得る。
【００６７】
ワイヤレス通信システム100は、各周波数ホッピングチャネルが時間期間内に等しい回数使用されるように、周波数ホッピングチャネルシーケンス(たとえば、論理チャネルホッピングシーケンス設計)を定義するための効率的な技法をサポートし得る。したがって、送信デバイス(たとえば、UE115)は、同じ周波数ホッピングチャネルを再訪問する前に、周波数ホッピングチャネルのセットの各周波数ホッピングチャネルを訪問することができ、各周波数ホッピングチャネルは、他の周波数ホッピングチャネルとほぼ等しい、しきい値未満の占有時間を周波数スペクトル上に有し得る。
【００６８】
図2は、本開示の様々な態様による論理チャネルホッピングシーケンス設計をサポートするワイヤレス通信システム200の一例を示す。いくつかの例では、ワイヤレス通信システム200は、ワイヤレス通信システム100の態様を実装することができる。ワイヤレス通信システム200は、基地局105-aとUE115-aとを含んでよく、それらはそれぞれ、図1を参照しながら説明したような対応する基地局105およびUE115の例であり得る。基地局105-aとUE115-aとは、キャリア205のリソース上で通信し得る。
【００６９】
場合によっては、基地局105-aおよびUE115-aは、キャリア205のリソース上で周波数ホッピング方式210に従って通信し得る。周波数ホッピング方式210は、アンカーチャネル、いくつかのホッピング周波数(たとえば、周波数ホッピングチャネル)、およびいくつかのmフレーム215を含み得る。場合によっては、基地局105-aは、周波数ホッピング方式210用のN個のmフレーム215(たとえば、最高で、mフレーム215-nまで)を示すことができ、ここで、各mフレーム215は、設定された時間量の間続く。たとえば、各mフレーム215は、(たとえば、eMTC-u周波数スペクトル内で)80msにわたり持続し得る。各mフレーム215は、DRS220およびデータセグメント225を含んでよく、ここで、各mフレーム215内のDRS220は、5ms続き、各mフレーム215内のデータセグメント225は75ms続く。場合によっては、各DRS220は、アンカーチャネル1上で送信されてよく、各データセグメント225は、それぞれのホッピング周波数上で送信され得る。たとえば、基地局105-aは、アンカーチャネル1上でDRS220-aを送信し、次いで、ホッピング周波数1上でデータセグメント225-aを送信し得る。DRS220-aは、同期信号(たとえば、PSS、SSS、およびPBCH)と、ホッピング周波数のセットを使用するための順序を示すホッピングシーケンスを含む、(たとえば、低減されたSIB内の)ホッピング周波数のセットに関するロケーションとを含み得る。さらに、データセグメント225-aは、接続部分230-aおよびデータ部分235-aを含んでよく、ここで、基地局105-aは、LBT手順を実行して、スペクトルが後続の通信のために利用可能であるかどうかを判定し、UE115-aは、UE115-aが、データ部分235-aの間に(たとえば、基地局105-aと通信して)アップリンクデータを送信する前に、またはダウンリンクデータを受信する前に、接続部分230-aの間にRACHプリアンブルを送信する。
【００７０】
mフレーム215-aの後で、UE115-aは、アンカーチャネル1の監視に戻ることができ、基地局105-aは、mフレーム215-bの間に、追加の同期信号、ホッピング周波数ロケーション、およびシーケンシング情報をDRS220-b内で送信することができる。代替として、基地局105-bは、同期情報およびホッピング周波数情報をDRS220-a内に含めることができ、DRS220-bの間に何のシグナリングも送信しなくてよい。DRS220-a、DRS220-b、または両方は、データセグメント225-bに関するロケーションを含み得る。さらに、ロケーションは、ホッピング周波数1とは異なるホッピング周波数2であってよい。上記で説明したように、データセグメント225-bは、接続部分230-bとデータ部分235-bの両方を含み得る。場合によっては、UE115-aは、アンカーチャネル1上のDRS220-nと、対応する接続部分230-nおよびデータ部分235-nを有する、ホッピング周波数N上のデータセグメント225-nとを含み得る、最高で第nのmフレーム215(たとえば、mフレーム215-n)の各mフレーム215の後で、アンカーチャネル1に戻り、DRS220を監視することができる。代替として、UE115-aは、(たとえば、アンカーチャネル1に戻らずにK個の異なるホッピング周波数間を移動する)K個の非アンカーホップごとにアンカーチャネル1を再訪問して、同期遅延を低減することができる。さらに、UE115-aが、アンカーチャネル1を再訪問する前に、より多数のホッピング周波数を訪問することができるように、K個の非アンカーホップが定義され得る。たとえば、ホッピング周波数(たとえば、ホッピングチャネル)の数は多くてよく、アンカーチャネル1を再訪問するのに先立つ時間期間内にホッピング周波数の各々に対して等しい占有時間が所望され得る。K個の非アンカーホップは、UE115-aがアンカーチャネル1を再訪問する前に、各ホッピング周波数が訪問され、等しい占有率を有することを確実にするように定義され得る。
【００７１】
場合によっては、基地局105-aは、N個のホッピング周波数(すなわち、最高でホッピング周波数N)または周波数ホッピングチャネルを利用可能なホッピング周波数のリスト(たとえば、ホワイトリスト)から選定し得る。たとえば、いくつかのワイヤレス通信周波数スペクトル(たとえば、eMTC-u)内で、基地局105-aは、60個の利用可能なチャネルのリストから16個または32個のチャネルを選定し得る。各ホッピング周波数は、利用される共有無線周波数スペクトルに従って等しいチャネルサイズを有し得る。たとえば、各ホッピング周波数は、1.4MHz帯域(たとえば、eMTC-u用)または1個のリソースブロックサイズの帯域(たとえば、NB-IoT-u用)であってよい。
【００７２】
基地局105-aは、各mフレーム215の各DRS220内またはmフレーム215-a内の第1のDRS220-a内で選定されたチャネルをUE115-aにシグナリングし得る。選定されたホッピングチャネルは、論理ホッピングチャネル内で各ホッピングチャネルが1回使用されるように、0からN-1に番号付けされた論理ホッピングチャネルにマッピングされ得る。さらに、論理ホッピングチャネルは、ホッピングチャネルを利用するためのシーケンスを示し得る。たとえば、図2に示すように、ホッピング周波数1が1番目に利用され、論理ホッピングチャネル0によって示されてよく、ホッピング周波数2が2番目に利用され、論理ホッピングチャネル1によって示されてよく、ホッピング周波数Nが最後に利用され、論理ホッピングチャネルN-1によって示されてよい。ホッピングチャネルおよび論理ホッピングチャネルマッピングの順序は異なってよいことを理解されたい。たとえば、ホッピング周波数1は、対応する論理ホッピングチャネル番号を有する1番目とは異なる時点で利用されてよく、ホッピング周波数2は、対応する論理ホッピングチャネル番号を有する2番目とは異なる時点で利用されてよい、などとなる。
【００７３】
場合によっては、論理ホッピングチャネルマッピングによって示されるホッピングシーケンスは、擬似ランダムシーケンスであり得る。さらに、任意のチャネル上の平均占有時間は、しきい値(たとえば、0.4秒)を利用されるホッピングチャネルの数で乗算した値に対応する時間期間内にそのしきい値未満であり得る。したがって、ホッピングシーケンスは、UE115-aが、同じ周波数を再訪問する前に、すべてのホッピング周波数を少なくとも1回訪問するように定義され得る。たとえば、32個のホッピング周波数および32個のmフレームが利用されるとき、UE115-aは各ホッピング周波数を1回訪問することができる。代替として、16個のホッピング周波数および32個のmフレームが利用されるとき、UE115-aは各ホッピングシーケンスを2回訪問することができる。したがって、各ホッピング周波数は、時間期間内に等しい時間量にわたって使用される。さらに、ホッピングシーケンスは、異なるPCIに対してかつ時間的に異なり得る。たとえば、異なるUE115は、考えられる衝突を低減するために、それらの関連するPCIに応じて異なるホッピングシーケンスを有し得る。
【００７４】
図3は、本開示の様々な態様による論理チャネルホッピングシーケンス設計をサポートする周波数ホッピング関数300の一例を示す。いくつかの例では、周波数ホッピング関数300は、ワイヤレス通信システム100および200の態様を実装し得る。基地局105は、図2を参照しながら説明したように、各物理ホッピング周波数を論理チャネルインデックスにマッピングし得る。周波数ホッピング関数300は、同じ論理チャネル(たとえば、ホッピング周波数または周波数ホッピングチャネル)を一定の順序で再訪問する前に、論理チャネル(たとえば、ホッピング周波数または周波数ホッピングチャネル)のすべてからの各論理チャネルを少なくとも1回訪問する擬似ランダムホッピングシーケンスが生成されるように定義され得る(たとえば、32個の定義されたホッピング周波数および32個の定義されたmフレームに対して、各ホッピング周波数が1回訪問され、または16個の定義されたホッピング周波数および32個の定義されたmフレームに対して、各ホッピング周波数が2回訪問される)。
【００７５】
基地局105は、各ホッピング周波数に対してKビットのmフレームインデックスを定義することができ、ここで、ホッピング周波数に対する論理チャネルインデックスは、示されたmフレームの数(すなわち、mSFN)の関数およびPCIであり、この場合、K≧10である。Kは、上記で説明したように、非アンカーホップの数に対応し得る。各ホッピング周波数に対する論理チャネルインデックスは、
Xi=Y mod N
になるように定義され得、式中、Xiは、論理チャネルインデックス番号を示し、Yは、置換関数(たとえば、Perm5 305)の出力を示し、Nは、ホッピング周波数の数(たとえば、論理ホッピングチャネルの数)を示す。場合によっては、N=16または32である(たとえば、eMTC-uスペクトルにおいて)。Yはさらに、
Y=Perm5(((mSFN4:0+(PCI8:4 xor mSFN9+c:5+c )) mod 32),(512×mSFN9+d:5+d+PCI8:0 ))
として定義され得、式中、Perm5関数(たとえば、Perm5 305)は、各ホッピング周波数に論理チャネルインデックス番号として乱数を割り当てるための入力に基づいて乱数を生成し得る。
【００７６】
示すように、5ビットのmフレーム番号(たとえば、mSFN4:0)をPCIのxor積(たとえば、PCI8:4によって示されるロケーション)およびmフレームサブフレーム番号の最上位ビット(MSB)の一部分(たとえば、mSFN9+c:5+c)に追加することができる。その和は、次いで、32の係数(たとえば、Mod 32)を用いたモジュロ演算を経てよい。モジュロ演算の出力は置換関数(たとえば、Perm5 305)に対する入力であり得る。入力は、PCIのMSB(たとえば、PCI8:0)およびmフレームサブフレーム番号の最下位ビット(たとえば、mSFN9+d:5+d)に応じて置換される(たとえば、訪問すべきホッピング周波数のシーケンスまたは順序に構成される)。置換値は、次いで、ホッピング周波数の数(たとえば、Mod N)に対応する値を有する係数を用いた第2のモジュロ演算を経てよい。第2のモジュロ演算の出力は、ホッピング周波数の論理チャネルインデックス番号(たとえば、Xi)に対応し得る。各ホッピング周波数が対応する論理チャネルインデックス番号を有した後で、これらはホッピングシーケンス内でランダムに割り当てられ得る。
【００７７】
図4は、本開示の様々な態様による論理チャネルホッピングシーケンス設計をサポートする置換関数400の一例を示す。いくつかの例では、置換関数400は、ワイヤレス通信システム100および200の態様を実装し得る。置換関数400は、図3で説明し、示したように、Perm5 305関数の一例であり得る、Perm5 405関数を示し得る。
【００７８】
Perm5 405に対する入力Xは、
(mSFN4:0+(PCI8:4 xor mSFN9+c:5+c)) mod 32
として定義され得、式中、c≧0である。場合によっては、入力は、より高速の時間スケールでmSFNインデックスに依存し得る。さらに、入力は、PCIによって(たとえば、異なるセルは異なる開始ホッピング周波数を有する)、かつmSFNのMSBによって(たとえば、32×mSFNの時間スケールの異なる開始ホッピング周波数)オフセットされ得る。Perm5 405は、次いで、PCIおよびmSFNに応じて、入力ビットXを置換する(すなわち、14ビットの制御信号P)。制御信号Pは、
512×mSFN9+d:5+d+PCI8:0
として定義され得、式中、Pは、PCIおよびmSFNのMSBに依存する。たとえば、制御信号Pは、入力XがmSFN(たとえば、示されたmフレームの数)を少なくとも一周した後で変更され得る。さらに、各バタフライ(たとえば、P値からP値への経路)は、ビットPXによって制御され得、「0」は置換がないことを示し、「1」は置換を示す。たとえば、[1 0]の入力の場合、P=1である場合、入力は置換され、[0 1]をもたらす。別の例では、[1 0]の同じ入力であるが、P=0である場合、入力は置換されず、これは出力が[1 0]であることを意味する。
【００７９】
図5は、本開示の様々な態様による論理チャネルホッピングシーケンス設計をサポートするプロセスフロー500の一例を示す。いくつかの例では、プロセスフロー500は、ワイヤレス通信システム100および200の態様を実装し得る。プロセスフロー500は、図1〜図4を参照しながら説明したような基地局105およびUE115の例であり得る、基地局105-bおよびUE115-bによって実行される技法の態様を示す。
【００８０】
プロセスフロー500の以下の説明では、UE115-bと基地局105-bとの間の動作は、異なる順序または異なる時間において実行され得る。いくつかの動作がプロセスフロー500から外されることもあり、または他の動作がプロセスフロー500に追加されることがある。プロセスフロー500のいくつかの動作を実行するUE115が示されているが、任意の送信デバイス(たとえば、基地局105-a)が示される動作を実行し得ることを理解されたい。
【００８１】
505において、基地局105-bは、アンカーチャネルおよび物理ホッピングチャネルのセットの指示を送信し得る。
【００８２】
510において、UE115-bは、同期信号の送信のためのアンカーチャネルおよびデータの送信のための物理ホッピングチャネルのセットを識別し得る。場合によっては、同期信号は、PSS、SSS、PBCH、SIB、またはそれらの組合せのうちの少なくとも1つを含み得る。
【００８３】
515において、UE115-aは、物理ホッピングチャネルのセットを論理ホッピングチャネルの対応するセットにマッピングし得る。
【００８４】
520において、UE115-bは、論理ホッピングチャネルのセット内のすべての論理チャネルが時間期間内に等しい回数使用されるように、論理ホッピングチャネルのセット上でデータの通信のために使用されるべきホッピングシーケンスを判定し得る。場合によっては、ホッピングシーケンスを判定することは、UE115-bのロケーションおよび送信時間に基づいて、擬似ランダムホッピングシーケンスを判定することを含み得る。追加または代替として、ホッピングシーケンスを判定することは、UE115-bに関連するPCIおよびデータの通信のために使用されるべきサブフレーム番号(たとえば、mSFN)のセットに基づいて、擬似ランダムホッピングシーケンスを判定することを含み得る。
【００８５】
場合によっては、ホッピングシーケンスを判定することは、論理ホッピングチャネルのセットの数を識別することと、論理ホッピングチャネルのセットの数を有する擬似乱数のモジュロを判定することとを含み得る。さらに、UE115-bは、その入力がUE115-bに関連するPCIおよび論理ホッピングチャネルのセットの数を識別するデータの通信のために使用されるべきサブフレーム番号のセットのビット表現の部分を含む、擬似乱数生成器を使用して擬似乱数を判定することができ、ここで、PCIのMSBおよびサブフレーム番号のセットの最下位ビットは、擬似乱数を判定する際に使用される。追加または代替として、UE115-bは、置換関数を使用して擬似乱数を判定し得る。場合によっては、置換関数は、置換5(Perm5)関数を含み得る。
【００８６】
525において、UE115-bは、ホッピングシーケンスに従って、論理ホッピングチャネルのセット上でデータを通信し得る。たとえば、示すように、UE115-bがプロセスフロー500の動作を実行して、UE115-bは、ホッピングシーケンスに従って、ホッピングチャネルのセット上で1つまたは複数のダウンリンク送信を基地局105-bから受信することができ、ホッピングシーケンスに従って、ホッピングチャネルのセット上で1つまたは複数のアップリンク送信を基地局105-bに送信することができる。代替として、基地局105-bがプロセスフロー500の動作を実行し得る。したがって、基地局105-bは、ホッピングシーケンスに従って、ホッピングチャネルのセット上で1つまたは複数のダウンリンク送信をUE115-bに送信することができ、ホッピングシーケンスに従って、ホッピングチャネルのセット上で1つまたは複数のアップリンク送信をUE115-bから受信することができる。場合によっては、データの通信は免許不要スペクトラムを介してよい。
【００８７】
プロセスフロー500の一例では、PCIは161であってよく(たとえば、PCI=161)、32個のmフレームが示され、使用されてよく(たとえば、mSFN=0:31)、ホッピング周波数またはホッピングチャネルの数は16であってよい(たとえば、N=16)。次いで、プロセスフロー500、および[8 10 4 6 12 14 1 3 9 11 5 7 13 15 1 3 9 11 5 7 13 15 0 2 8 10 4 6 12 14 0 2]として上記で識別された式を使用して、例示的な対応するホッピングシーケンスが定義され得、ここで、各ホッピング周波数は、別個の論理チャネルインデックス番号(たとえば、0から15)に対応する。したがって、シーケンスは、各ホッピング周波数に対する平均占有時間が、しきい値をホッピング周波数の数によって乗算したものに対応する時間期間内にそのしきい値未満であるように、時間期間内でホッピング周波数の各々を2回訪問し得る(たとえば、32個のmフレームは各々eMTC-u内で80ms続く)。
【００８８】
図6は、本開示の態様による論理チャネルホッピングシーケンス設計をサポートするワイヤレスデバイス605のブロック図600を示す。ワイヤレスデバイス605は、本明細書で説明するようなUE115または基地局105の態様の一例であり得る。ワイヤレスデバイス605は、受信機610と、通信マネージャ615と、送信機620とを含み得る。ワイヤレスデバイス605はまた、プロセッサを含み得る。これらの構成要素の各々は、(たとえば、1つまたは複数のバスを介して)互いと通信し得る。
【００８９】
受信機610は、パケット、ユーザデータ、または様々な情報チャネル(たとえば、制御チャネル、データチャネル、および論理チャネルホッピングシーケンス設計に関する情報など)に関連する制御情報などの情報を受信してもよい。情報はデバイスの他の構成要素に受け渡されてよい。受信機610は、図9を参照しながら説明するトランシーバ935の態様の一例であってよい。受信機610は、単一のアンテナまたは1組のアンテナを利用し得る。
【００９０】
通信マネージャ615は、図9および図10を参照しながら説明する通信マネージャ915または通信マネージャ1015の態様の一例であってもよい。
【００９１】
通信マネージャ615および/またはその様々な副構成要素のうちの少なくともいくつかは、ハードウェア、プロセッサによって実行されるソフトウェア、ファームウェア、またはそれらの任意の組合せにおいて実装され得る。プロセッサによって実行されるソフトウェアで実装される場合、通信マネージャ615および/またはその様々な副構成要素のうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、個別ゲートもしくはトランジスタ論理、個別ハードウェア構成要素、または本開示で説明する機能を実行するように設計されたそれらの任意の組合せによって実行され得る。通信マネージャ615および/またはその様々な副構成要素のうちの少なくともいくつかは、機能の部分が1つまたは複数の物理デバイスによって異なる物理的ロケーションにおいて実装されるように分散されることを含めて、様々な位置に物理的に位置し得る。いくつかの例では、通信マネージャ615および/またはその様々な副構成要素のうちの少なくともいくつかは、本開示の様々な態様による別個の異なる構成要素であり得る。他の例では、通信マネージャ615および/またはその様々な副構成要素のうちの少なくともいくつかは、限定はされないが、I/O構成要素、トランシーバ、ネットワークサーバ、別のコンピューティングデバイス、本開示で説明する1つまたは複数の他の構成要素、または本開示の様々な態様によるそれらの組合せを含む、1つまたは複数の他のハードウェア構成要素と組み合わされ得る。
【００９２】
通信マネージャ615は、同期信号の送信のためのアンカーチャネルおよびデータの送信のための物理ホッピングチャネルのセットを識別し得る。さらに、通信マネージャ615は、物理ホッピングチャネルのセットを論理ホッピングチャネルの対応するセットにマッピングし得る。場合によっては、通信マネージャ615は、論理ホッピングチャネルのセット内のすべての論理チャネルが時間期間内に等しい回数使用されるように、論理ホッピングチャネルのセット上でデータの通信のために使用されるべきホッピングシーケンスを判定し得る。通信マネージャ615は、次いで、ホッピングシーケンスに従って、論理ホッピングチャネルのセット上でデータを通信し得る。
【００９３】
送信機620は、デバイスの他の構成要素によって生成された信号を送信することができる。いくつかの例では、送信機620は、トランシーバモジュールにおいて受信機610と併置されてもよい。たとえば、送信機620は、図9を参照しながら説明するトランシーバ935の態様の一例であってもよい。送信機620は、単一のアンテナまたは1組のアンテナを利用し得る。
【００９４】
図7は、本開示の態様による論理チャネルホッピングシーケンス設計をサポートするワイヤレスデバイス705のブロック図700を示す。ワイヤレスデバイス705は、図6を参照しながら説明したような、ワイヤレスデバイス605、もしくはUE115、または基地局105の態様の一例であり得る。ワイヤレスデバイス705は、受信機710と、通信マネージャ715と、送信機720とを含み得る。ワイヤレスデバイス705はまた、プロセッサを含み得る。これらの構成要素の各々は、(たとえば、1つまたは複数のバスを介して)互いと通信し得る。
【００９５】
受信機710は、パケット、ユーザデータ、または様々な情報チャネル(たとえば、制御チャネル、データチャネル、および論理チャネルホッピングシーケンス設計に関する情報など)に関連する制御情報などの情報を受信してもよい。情報はデバイスの他の構成要素に受け渡されてよい。受信機710は、図9を参照しながら説明するトランシーバ935の態様の一例であってよい。受信機710は、単一のアンテナまたは1組のアンテナを利用し得る。
【００９６】
通信マネージャ715は、図9および図10を参照しながら説明する通信マネージャ915または通信マネージャ1015の態様の一例であってもよい。
【００９７】
通信マネージャ715はまた、チャネル識別構成要素725、マッピング構成要素730、ホッピングシーケンス構成要素735、およびホッピング送信構成要素740を含み得る。
【００９８】
チャネル識別構成要素725は、同期信号の送信のためのアンカーチャネルおよびデータの送信のための物理ホッピングチャネルのセットを識別し得る。場合によっては、同期信号は、1次同期信号、2次同期信号、物理ブロードキャストチャネル、システム情報ブロック、またはそれらの組合せのうちの少なくとも1つを含む。
【００９９】
マッピング構成要素730は、物理ホッピングチャネルのセットを論理ホッピングチャネルの対応するセットにマッピングし得る。
【０１００】
ホッピングシーケンス構成要素735は、論理ホッピングチャネルのセット内のすべての論理チャネルが時間期間内に等しい回数使用されるように、論理ホッピングチャネルのセット上でデータの通信のために使用されるべきホッピングシーケンスを判定し得る。場合によっては、ホッピングシーケンスを判定することは、送信デバイスのロケーションおよび送信時間に基づいて、擬似ランダムホッピングシーケンスを判定することを含み得る。場合によっては、ホッピングシーケンスを判定することは、送信デバイスに関連するPCIおよびデータの通信のために使用されるべきサブフレーム番号のセットに基づいて、擬似ランダムホッピングシーケンスを判定することを含み得る。場合によっては、ホッピングシーケンスを判定することは、論理ホッピングチャネルのセットの数を識別することを含み得る。
【０１０１】
ホッピング送信構成要素740は、ホッピングシーケンスに従って、論理ホッピングチャネルのセット上でデータを通信し得る。場合によっては、データの通信は免許不要スペクトラムを介する。
【０１０２】
送信機720は、デバイスの他の構成要素によって生成された信号を送信することができる。いくつかの例では、送信機720は、トランシーバモジュールにおいて受信機710と併置されてよい。たとえば、送信機720は、図9を参照しながら説明するトランシーバ935の態様の一例であってもよい。送信機720は、単一のアンテナまたは1組のアンテナを利用することができる。
【０１０３】
図8は、本開示の態様による論理チャネルホッピングシーケンス設計をサポートする通信マネージャ815のブロック図800を示す。通信マネージャ815は、図6、図7、図9、および図10を参照しながら説明する、通信マネージャ615、通信マネージャ715、通信マネージャ915、または通信マネージャ1015の態様の一例であってもよい。通信マネージャ815は、チャネル識別構成要素820と、マッピング構成要素825と、ホッピングシーケンス構成要素830と、ホッピング送信構成要素835と、擬似乱数構成要素840と、置換構成要素845とを含み得る。これらのモジュールの各々は、直接または間接的に(たとえば、1つまたは複数のバスを介して)互いと通信し得る。
【０１０４】
チャネル識別構成要素820は、同期信号の送信のためのアンカーチャネルおよびデータの送信のための物理ホッピングチャネルのセットを識別し得る。場合によっては、同期信号は、1次同期信号、2次同期信号、物理ブロードキャストチャネル、システム情報ブロック、またはそれらの組合せのうちの少なくとも1つを含む。
【０１０５】
マッピング構成要素825は、物理ホッピングチャネルのセットを論理ホッピングチャネルの対応するセットにマッピングし得る。
【０１０６】
ホッピングシーケンス構成要素830は、論理ホッピングチャネルのセット内のすべての論理チャネルが時間期間内に等しい回数使用されるように、論理ホッピングチャネルのセット上でデータの通信のために使用されるべきホッピングシーケンスを判定し得る。場合によっては、ホッピングシーケンスを判定することは、送信デバイスのロケーションおよび送信時間に基づいて、擬似ランダムホッピングシーケンスを判定することを含み得る。場合によっては、ホッピングシーケンスを判定することは、送信デバイスに関連するPCIおよびデータの通信のために使用されるべきサブフレーム番号のセットに基づいて、擬似ランダムホッピングシーケンスを判定することを含み得る。場合によっては、ホッピングシーケンスを判定することは、論理ホッピングチャネルのセットの数を識別することを含み得る。
【０１０７】
ホッピング送信構成要素835は、ホッピングシーケンスに従って、論理ホッピングチャネルのセット上でデータを通信し得る。場合によっては、データの通信は免許不要スペクトラムを介する。場合によっては、ワイヤレスデバイスはUEであってよい。したがって、ホッピング送信構成要素835は、ホッピングシーケンスに従って、ホッピングチャネルのセット上で1つまたは複数のダウンリンク送信を基地局から受信し、ホッピングシーケンスに従って、ホッピングチャネルのセット上で1つまたは複数のアップリンク送信を基地局に送信することができる。代替として、ワイヤレスデバイスは基地局であってよい。したがって、ホッピング送信構成要素835は、ホッピングシーケンスに従って、ホッピングチャネルのセット上で1つまたは複数のダウンリンク送信をUEに送信し、ホッピングシーケンスに従って、ホッピングチャネルのセット上で1つまたは複数のアップリンク送信をUEから受信することができる。
【０１０８】
擬似乱数構成要素840は、論理ホッピングチャネルのセットの数を有する擬似乱数のモジュロを判定し、その入力が送信デバイスに関連するPCIのおよび論理ホッピングチャネルのセットの数を識別するデータの通信のために使用されるべきサブフレーム番号のセットのビット表現の部分を含む、擬似乱数生成器を使用して擬似乱数を判定することができる。場合によっては、擬似乱数を判定する際に、PCIの最上位ビットおよびサブフレーム番号のセットの最下位ビットが使用される。
【０１０９】
置換要素845は、置換関数を使用して擬似乱数を判定し得る。場合によっては、置換関数は、置換5(Perm5)関数を含む。
【０１１０】
図9は、本開示の態様による論理チャネルホッピングシーケンス設計をサポートするデバイス905を含むシステム900の図を示す。デバイス905は、たとえば、図6および図7を参照しながら上記で説明したような、ワイヤレスデバイス605、ワイヤレスデバイス705、またはUE115の構成要素の一例であり得るか、またはそれらを含み得る。デバイス905は、通信マネージャ915と、プロセッサ920と、メモリ925と、ソフトウェア930と、トランシーバ935と、アンテナ940と、I/Oコントローラ945とを含む、通信を送信および受信するための構成要素を含む、双方向の音声およびデータ通信のための構成要素を含み得る。これらの構成要素は、1つまたは複数のバス(たとえば、バス910)を介して電子的に通信していてもよい。デバイス905は、1つまたは複数の基地局105とワイヤレスに通信し得る。
【０１１１】
プロセッサ920は、インテリジェントハードウェアデバイス(たとえば、汎用プロセッサ、DSP、中央処理装置(CPU)、マイクロコントローラ、ASIC、FPGA、PLD、個別ゲートもしくはトランジスタ論理構成要素、個別ハードウェア構成要素、またはそれらの任意の組合せ)を含んでよい。場合によっては、プロセッサ920は、メモリコントローラを使用して、メモリアレイを動作させるように構成され得る。他の場合には、メモリコントローラは、プロセッサ920内に統合され得る。プロセッサ920は、様々な機能(たとえば、論理チャネルホッピングシーケンス設計をサポートする機能またはタスク)を実行するために、メモリ内に記憶されたコンピュータ可読命令を実行するように構成され得る。
【０１１２】
メモリ925は、ランダムアクセスメモリ(RAM)と読取り専用メモリ(ROM)とを含み得る。メモリ925は、実行されると、プロセッサに、本明細書で説明する様々な機能を実行させる命令を含む、コンピュータ可読、コンピュータ実行可能ソフトウェア930を記憶し得る。場合によっては、メモリ925は、特に、周辺構成要素もしくは周辺デバイスとの相互作用など、基本的なハードウェア動作またはソフトウェア動作を制御し得る基本入出力システム(BIOS)を含み得る。
【０１１３】
ソフトウェア930は、論理チャネルホッピングシーケンス設計をサポートするためのコードを含めて、本開示の態様を実装するためのコードを含んでもよい。ソフトウェア930は、システムメモリまたは他のメモリなど、非一時的コンピュータ可読媒体内に記憶され得る。場合によっては、ソフトウェア930は、プロセッサによって直接実行可能ではないことがあるが、(たとえば、コンパイルされ、実行されると)本明細書で説明する機能をコンピュータに実行させることができる。
【０１１４】
トランシーバ935は、上記で説明したような1つまたは複数のアンテナ、有線リンク、またはワイヤレスリンクを介して双方向に通信し得る。たとえば、トランシーバ935は、ワイヤレストランシーバを表すことがあり、別のワイヤレストランシーバと双方向に通信し得る。トランシーバ935はまた、送信のためにパケットを変調し、変調されたパケットをアンテナに提供し、かつアンテナから受信されたパケットを復調するためのモデムを含み得る。
【０１１５】
場合によっては、ワイヤレスデバイスは、単一のアンテナ940を含んでもよい。ただし、場合によっては、デバイスは、複数のアンテナ940を有することがあり、複数のアンテナ940は、複数のワイヤレス送信を並行して送信または受信することが可能であってよい。
【０１１６】
I/Oコントローラ945は、デバイス905のための入力信号および出力信号を管理し得る。I/Oコントローラ945はまた、デバイス905内に統合されていない周辺装置を管理し得る。場合によっては、I/Oコントローラ945は、外部周辺装置への物理接続またはポートを表すことがある。場合によっては、I/Oコントローラ945は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどの、オペレーティングシステムを利用し得る。他の場合には、I/Oコントローラ945は、モデム、キーボード、マウス、タッチスクリーン、または類似のデバイスを表すことがあり、またはそれらと相互作用することがある。場合によっては、I/Oコントローラ945は、プロセッサの一部として実装されてもよい。場合によっては、ユーザは、I/Oコントローラ945を介して、またはI/Oコントローラ945によって制御されたハードウェア構成要素を介して、デバイス905と対話することがある。
【０１１７】
図10は、本開示の態様による論理チャネルホッピングシーケンス設計をサポートするデバイス1005を含むシステム1000の図を示す。デバイス1005は、たとえば、図7および図8を参照しながら上記で説明したような、ワイヤレスデバイス705、ワイヤレスデバイス805、または基地局105の構成要素の一例であってよく、またはそれらを含んでもよい。デバイス1005は、通信マネージャ1015と、プロセッサ1020と、メモリ1025と、ソフトウェア1030と、トランシーバ1035と、アンテナ1040と、ネットワーク通信マネージャ1045と、局間通信マネージャ1050とを含む、通信を送信および受信するための構成要素を含む、双方向の音声およびデータ通信のための構成要素を含んでもよい。これらの構成要素は、1つまたは複数のバス(たとえば、バス1010)を介して電子的に通信していてもよい。デバイス1005は、1つまたは複数のUE115とワイヤレスに通信し得る。
【０１１８】
プロセッサ1020は、インテリジェントハードウェアデバイス(たとえば、汎用プロセッサ、DSP、CPU、マイクロコントローラ、ASIC、FPGA、PLD、個別ゲートもしくはトランジスタ論理構成要素、個別ハードウェア構成要素、またはそれらの任意の組合せ)を含み得る。場合によっては、プロセッサ1020は、メモリコントローラを使用して、メモリアレイを動作させるように構成され得る。他の場合には、メモリコントローラは、プロセッサ1020内に統合され得る。プロセッサ1020は、様々な機能(たとえば、論理チャネルホッピングシーケンス設計をサポートする機能またはタスク)を実行するために、メモリ内に記憶されたコンピュータ可読命令を実行するように構成されてもよい。
【０１１９】
メモリ1025はRAMおよびROMを含み得る。メモリ1025は、実行されると、プロセッサに、本明細書で説明する様々な機能を実行させる命令を含む、コンピュータ可読、コンピュータ実行可能ソフトウェア1030を記憶し得る。場合によっては、メモリ1025は、特に、周辺構成要素または周辺デバイスとの相互作用など、基本的ハードウェア動作またはソフトウェア動作を制御し得るBIOSを含み得る。
【０１２０】
ソフトウェア1030は、論理チャネルホッピングシーケンス設計をサポートするためのコードを含めて、本開示の態様を実装するためのコードを含み得る。ソフトウェア1030は、システムメモリまたは他のメモリなど、非一時的コンピュータ可読媒体内に記憶され得る。場合によっては、ソフトウェア1030は、プロセッサによって直接実行可能ではないことがあるが、(たとえば、コンパイルおよび実行されると)本明細書で説明する機能をコンピュータに実行させ得る。
【０１２１】
トランシーバ1035は、上記で説明したような1つまたは複数のアンテナ、有線リンク、またはワイヤレスリンクを介して双方向に通信し得る。たとえば、トランシーバ1035は、ワイヤレストランシーバを表すことがあり、別のワイヤレストランシーバと双方向に通信し得る。トランシーバ1035はまた、送信のためにパケットを変調し、変調されたパケットをアンテナに提供し、かつアンテナから受信されたパケットを復調するためのモデムを含み得る。
【０１２２】
場合によっては、ワイヤレスデバイスは、単一のアンテナ1040を含んでもよい。ただし、場合によっては、デバイスは複数のアンテナ1040を有することがあり、複数のアンテナ1040は、複数のワイヤレス送信を並行して送信または受信することが可能であってよい。
【０１２３】
ネットワーク通信マネージャ1045は、(たとえば、1つまたは複数の有線バックホールリンクを介して)コアネットワークとの通信を管理してもよい。たとえば、ネットワーク通信マネージャ1045は、1つまたは複数のUE115など、クライアントデバイスのためのデータ通信の転送を管理し得る。
【０１２４】
局間通信マネージャ1050は、他の基地局105との通信を管理し得、他の基地局105と協働してUE115との通信を制御するためのコントローラまたはスケジューラを含み得る。たとえば、局間通信マネージャ1050は、ビームフォーミングまたはジョイント送信などの様々な干渉緩和技法のためのUE115への送信のためのスケジューリングを協調させ得る。いくつかの例では、局間通信マネージャ1050は、基地局105同士の間の通信を行うために、LTE/LTE-Aワイヤレス通信ネットワーク技術内のX2インターフェースを提供し得る。
【０１２５】
図11は、本開示の態様による論理チャネルホッピングシーケンス設計のための方法1100を示すフローチャートを示す。方法1100の動作は、本明細書で説明したように、UE115もしくは基地局105またはその構成要素によって実装され得る。たとえば、方法1100の動作は、図6〜図10を参照しながら説明したような通信マネージャによって実行され得る。いくつかの例では、UE115または基地局105は、以下で説明する機能を実行するようにデバイスの機能要素を制御するためのコードのセットを実行し得る。追加または代替として、UE115または基地局105は、専用ハードウェアを使用して以下で説明する機能の態様を実行し得る。
【０１２６】
1105において、UE115または基地局105は、同期信号の送信のためのアンカーチャネルおよびデータの送信のための物理ホッピングチャネルのセットを識別し得る。1105の動作は、本明細書で説明する方法に従って実行され得る。いくつかの例では、1105の動作の態様は、図6〜図8を参照しながら説明したようなチャネル識別構成要素によって実行され得る。
【０１２７】
1110において、UE115または基地局105は、物理ホッピングチャネルのセットを論理ホッピングチャネルの対応するセットにマッピングし得る。1110の動作は、本明細書で説明する方法に従って実行され得る。いくつかの例では、1110の動作の態様は、図6〜図8を参照しながら説明したようなマッピング構成要素によって実行され得る。
【０１２８】
1115において、UE115または基地局105は、論理ホッピングチャネルのセット内のすべての論理チャネルが時間期間内に等しい回数使用されるように、論理ホッピングチャネルのセット上でデータの通信のために使用されるべきホッピングシーケンスを判定し得る。1115の動作は、本明細書で説明する方法に従って実行され得る。いくつかの例では、1115の動作の態様は、図6〜図8を参照しながら説明したようなホッピングシーケンス構成要素によって実行され得る。
【０１２９】
1120において、UE115または基地局105は、ホッピングシーケンスに従って、論理ホッピングチャネルのセット上でデータを通信し得る。1120の動作は、本明細書で説明する方法に従って実行され得る。いくつかの例では、1120の動作の態様は、図6〜図8を参照しながら説明したようなホッピング送信構成要素によって実行され得る。
【０１３０】
図12は、本開示の態様による論理チャネルホッピングシーケンス設計のための方法1200を示すフローチャートを示す。方法1200の動作は、本明細書で説明したように、UE115もしくは基地局105またはその構成要素によって実装され得る。たとえば、方法1200の動作は、図6〜図10を参照しながら説明したような通信マネージャによって実行され得る。いくつかの例では、UE115または基地局105は、以下で説明する機能を実行するようにデバイスの機能要素を制御するためのコードのセットを実行し得る。追加または代替として、UE115または基地局105は、専用ハードウェアを使用して以下で説明する機能の態様を実行し得る。
【０１３１】
1205において、UE115または基地局105は、同期信号の送信のためのアンカーチャネルおよびデータの送信のための物理ホッピングチャネルのセットを識別し得る。1205の動作は、本明細書で説明する方法に従って実行され得る。いくつかの例では、1205の動作の態様は、図6〜図8を参照しながら説明したようなチャネル識別構成要素によって実行され得る。
【０１３２】
1210において、UE115または基地局105は、物理ホッピングチャネルのセットを論理ホッピングチャネルの対応するセットにマッピングし得る。1210の動作は、本明細書で説明する方法に従って実行され得る。いくつかの例では、1210の動作の態様は、図6〜図8を参照しながら説明したようなマッピング構成要素によって実行され得る。
【０１３３】
1215において、UE115または基地局105は、論理ホッピングチャネルのセット内のすべての論理チャネルが時間期間内に等しい回数使用されるように、論理ホッピングチャネルのセット上でデータの通信のために使用されるべきホッピングシーケンスを判定し得る。
【０１３４】
場合によっては、1220において、ホッピングシーケンスを判定することは、UE115または基地局105が、送信デバイスのロケーションおよび送信時間に基づいて、擬似ランダムホッピングシーケンスを判定することを含み得る。1215および1220の動作は、本明細書で説明する方法に従って実行され得る。いくつかの例では、1215および1220の動作の態様は、図6〜図8を参照しながら説明したようなホッピングシーケンス構成要素によって実行され得る。
【０１３５】
1225において、UE115または基地局105は、ホッピングシーケンスに従って、論理ホッピングチャネルのセット上でデータを通信し得る。1225の動作は、本明細書で説明する方法に従って実行され得る。いくつかの例では、1225の動作の態様は、図6〜図8を参照しながら説明したようなホッピング送信構成要素によって実行され得る。
【０１３６】
図13は、本開示の態様による論理チャネルホッピングシーケンス設計のための方法1300を示すフローチャートを示す。方法1300の動作は、本明細書で説明したように、UE115もしくは基地局105またはその構成要素によって実装され得る。たとえば、方法1300の動作は、図6〜図10を参照しながら説明したような通信マネージャによって実行され得る。いくつかの例では、UE115または基地局105は、以下で説明する機能を実行するようにデバイスの機能要素を制御するためのコードのセットを実行し得る。追加または代替として、UE115または基地局105は、専用ハードウェアを使用して以下で説明する機能の態様を実行し得る。
【０１３７】
1305において、UE115または基地局105は、同期信号の送信のためのアンカーチャネルおよびデータの送信のための物理ホッピングチャネルのセットを識別し得る。1305の動作は、本明細書で説明する方法に従って実行され得る。いくつかの例では、1305の動作の態様は、図6〜図8を参照しながら説明したようなチャネル識別構成要素によって実行され得る。
【０１３８】
1310において、UE115または基地局105は、物理ホッピングチャネルのセットを論理ホッピングチャネルの対応するセットにマッピングし得る。1310の動作は、本明細書で説明する方法に従って実行され得る。いくつかの例では、1310の動作の態様は、図6〜図8を参照しながら説明したようなマッピング構成要素によって実行され得る。
【０１３９】
1315において、UE115または基地局105は、論理ホッピングチャネルのセット内のすべての論理チャネルが時間期間内に等しい回数使用されるように、論理ホッピングチャネルのセット上でデータの通信のために使用されるべきホッピングシーケンスを判定し得る。
【０１４０】
場合によっては、1320において、ホッピングシーケンスを判定することは、UE115または基地局105が、送信デバイスに関連するPCIおよびデータの通信のために使用されるべきサブフレーム番号のセットに基づいて、擬似ランダムホッピングシーケンスを判定することを含み得る。1315および1320の動作は、本明細書で説明する方法に従って実行され得る。いくつかの例では、1315および1320の動作の態様は、図6〜図8を参照しながら説明したようなホッピングシーケンス構成要素によって実行され得る。
【０１４１】
1325において、UE115または基地局105は、ホッピングシーケンスに従って、論理ホッピングチャネルのセット上でデータを通信し得る。1325の動作は、本明細書で説明する方法に従って実行され得る。いくつかの例では、1325の動作の態様は、図6〜図8を参照しながら説明したようなホッピング送信構成要素によって実行され得る。
【０１４２】
図14は、本開示の態様による論理チャネルホッピングシーケンス設計のための方法1400を示すフローチャートを示す。方法1400の動作は、本明細書で説明したように、UE115もしくは基地局105またはその構成要素によって実装され得る。たとえば、方法1400の動作は、図6〜図10を参照しながら説明したような通信マネージャによって実行され得る。いくつかの例では、UE115または基地局105は、以下で説明する機能を実行するようにデバイスの機能要素を制御するためのコードのセットを実行し得る。追加または代替として、UE115または基地局105は、専用ハードウェアを使用して以下で説明する機能の態様を実行し得る。
【０１４３】
1405において、UE115または基地局105は、同期信号の送信のためのアンカーチャネルおよびデータの送信のための物理ホッピングチャネルのセットを識別し得る。1405の動作は、本明細書で説明する方法に従って実行され得る。いくつかの例では、1405の動作の態様は、図6〜図8を参照しながら説明したようなチャネル識別構成要素によって実行され得る。
【０１４４】
1410において、UE115または基地局105は、物理ホッピングチャネルのセットを論理ホッピングチャネルの対応するセットにマッピングし得る。1410の動作は、本明細書で説明する方法に従って実行され得る。いくつかの例では、1410の動作の態様は、図6〜図8を参照しながら説明したようなマッピング構成要素によって実行され得る。
【０１４５】
1415において、UE115または基地局105は、論理ホッピングチャネルのセット内のすべての論理チャネルが時間期間内に等しい回数使用されるように、論理ホッピングチャネルのセット上でデータの通信のために使用されるべきホッピングシーケンスを判定し得る。
【０１４６】
場合によっては、1420において、ホッピングシーケンスを判定することは、UE115または基地局105が論理ホッピングチャネルのセットの数を識別することを含み得る。1415および1420の動作は、本明細書で説明する方法に従って実行され得る。いくつかの例では、1415および1420の動作の態様は、図6〜図8を参照しながら説明したようなホッピングシーケンス構成要素によって実行され得る。
【０１４７】
1425において、UE115または基地局105は、論理ホッピングチャネルのセットの数を有する擬似乱数のモジュロを判定し得る。1425の動作は、本明細書で説明する方法に従って実行され得る。いくつかの例では、1425の動作の態様は、図6〜図8を参照しながら説明したような擬似乱数構成要素によって実行され得る。
【０１４８】
1430において、UE115または基地局105は、ホッピングシーケンスに従って、論理ホッピングチャネルのセット上でデータを通信し得る。1430の動作は、本明細書で説明する方法に従って実行され得る。いくつかの例では、1430の動作の態様は、図6〜図8を参照しながら説明したようなホッピング送信構成要素によって実行され得る。
【０１４９】
図15は、本開示の態様による論理チャネルホッピングシーケンス設計のための方法1500を示すフローチャートを示す。方法1500の動作は、本明細書で説明したように、UE115もしくは基地局105またはその構成要素によって実装され得る。たとえば、方法1500の動作は、図6〜図10を参照しながら説明したような通信マネージャによって実行され得る。いくつかの例では、UE115または基地局105は、以下で説明する機能を実行するようにデバイスの機能要素を制御するためのコードのセットを実行し得る。追加または代替として、UE115または基地局105は、専用ハードウェアを使用して以下で説明する機能の態様を実行し得る。
【０１５０】
1505において、UE115または基地局105は、同期信号の送信のためのアンカーチャネルおよびデータの送信のための物理ホッピングチャネルのセットを識別し得る。1505の動作は、本明細書で説明する方法に従って実行され得る。いくつかの例では、1505の動作の態様は、図6〜図8を参照しながら説明したようなチャネル識別構成要素によって実行され得る。
【０１５１】
1510において、UE115または基地局105は、物理ホッピングチャネルのセットを論理ホッピングチャネルの対応するセットにマッピングし得る。1510の動作は、本明細書で説明する方法に従って実行され得る。いくつかの例では、1510の動作の態様は、図6〜図8を参照しながら説明したようなマッピング構成要素によって実行され得る。
【０１５２】
1515において、UE115または基地局105は、論理ホッピングチャネルのセット内のすべての論理チャネルが時間期間内に等しい回数使用されるように、論理ホッピングチャネルのセット上でデータの通信のために使用されるべきホッピングシーケンスを判定し得る。
【０１５３】
場合によっては、1520において、ホッピングシーケンスを判定することは、UE115または基地局105が論理ホッピングチャネルのセットの数を識別することを含み得る。1515および1520の動作は、本明細書で説明する方法に従って実行され得る。いくつかの例では、1515および1520の動作の態様は、図6〜図8を参照しながら説明したようなホッピングシーケンス構成要素によって実行され得る。
【０１５４】
1525において、UE115または基地局105は、論理ホッピングチャネルのセットの数を有する擬似乱数のモジュロを判定し得る。1525の動作は、本明細書で説明する方法に従って実行され得る。いくつかの例では、1525の動作の態様は、図6〜図8を参照しながら説明したような擬似乱数構成要素によって実行され得る。
【０１５５】
1530において、UE115または基地局105は、その入力が送信デバイスに関連するPCIおよび論理ホッピングチャネルのセットの数を識別するデータの通信のために使用されるべきサブフレーム番号のセットのビット表現の部分を含む、擬似乱数生成器を使用して擬似乱数を判定することができる。1530の動作は、本明細書で説明する方法に従って実行され得る。いくつかの例では、1530の動作の態様は、図6〜図8を参照しながら説明したような擬似乱数構成要素によって実行され得る。
【０１５６】
1535において、UE115または基地局105は、ホッピングシーケンスに従って、論理ホッピングチャネルのセット上でデータを通信し得る。1535の動作は、本明細書で説明する方法に従って実行され得る。いくつかの例では、1535の動作の態様は、図6〜図8を参照しながら説明したようなホッピング送信構成要素によって実行され得る。
【０１５７】
図16は、本開示の態様による論理チャネルホッピングシーケンス設計のための方法1600を示すフローチャートを示す。方法1600の動作は、本明細書で説明したように、UE115もしくは基地局105またはその構成要素によって実装され得る。たとえば、方法1600の動作は、図6〜図10を参照しながら説明したような通信マネージャによって実行され得る。いくつかの例では、UE115または基地局105は、以下で説明する機能を実行するようにデバイスの機能要素を制御するためのコードのセットを実行し得る。追加または代替として、UE115または基地局105は、専用ハードウェアを使用して以下で説明する機能の態様を実行し得る。
【０１５８】
1605において、UE115または基地局105は、同期信号の送信のためのアンカーチャネルおよびデータの送信のための物理ホッピングチャネルのセットを識別し得る。1605の動作は、本明細書で説明する方法に従って実行され得る。いくつかの例では、1605の動作の態様は、図6〜図8を参照しながら説明したようなチャネル識別構成要素によって実行され得る。
【０１５９】
1610において、UE115または基地局105は、物理ホッピングチャネルのセットを論理ホッピングチャネルの対応するセットにマッピングし得る。1610の動作は、本明細書で説明する方法に従って実行され得る。いくつかの例では、1610の動作の態様は、図6〜図8を参照しながら説明したようなマッピング構成要素によって実行され得る。
【０１６０】
1615において、UE115または基地局105は、論理ホッピングチャネルのセット内のすべての論理チャネルが時間期間内に等しい回数使用されるように、論理ホッピングチャネルのセット上でデータの通信のために使用されるべきホッピングシーケンスを判定し得る。
【０１６１】
場合によっては、1620において、ホッピングシーケンスを判定することは、UE115または基地局105が論理ホッピングチャネルのセットの数を識別することを含み得る。1615および1620の動作は、本明細書で説明する方法に従って実行され得る。いくつかの例では、1615および1620の動作の態様は、図6〜図8を参照しながら説明したようなホッピングシーケンス構成要素によって実行され得る。
【０１６２】
1625において、UE115または基地局105は、論理ホッピングチャネルのセットの数を有する擬似乱数のモジュロを判定し得る。1625の動作は、本明細書で説明する方法に従って実行され得る。いくつかの例では、1625の動作の態様は、図6〜図8を参照しながら説明したような擬似乱数構成要素によって実行され得る。
【０１６３】
1630において、UE115または基地局105は、置換関数を使用して擬似乱数を判定し得る。1630の動作は、本明細書で説明する方法に従って実行され得る。いくつかの例では、1630の動作の態様は、図6〜図8を参照しながら説明したような置換構成要素によって実行され得る。
【０１６４】
1635において、UE115または基地局105は、ホッピングシーケンスに従って、論理ホッピングチャネルのセット上でデータを通信し得る。1635の動作は、本明細書で説明する方法に従って実行され得る。いくつかの例では、1635の動作の態様は、図6〜図8を参照しながら説明したようなホッピング送信構成要素によって実行され得る。
【０１６５】
上記で説明した方法は可能な実装形態について説明すること、動作およびステップは再構成され、または別様に修正され得ること、ならびに他の実装形態が可能であることに留意されたい。さらに、方法のうちの2つ以上からの態様が組み合わされ得る。
【０１６６】
本明細書で説明した技法は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および他のシステムなど、様々なワイヤレス通信システムのために使用され得る。CDMAシステムは、CDMA2000、ユニバーサル地上波無線アクセス(UTRA)などの無線技術を実装し得る。CDMA2000は、IS-2000、IS-95およびIS-856規格をカバーする。IS-2000のリリースは、一般に、CDMA2000 1X、1Xなどと呼ばれることがある。IS-856(TIA-856)は、一般に、CDMA2000 1xEV-DO、高速パケットデータ(HRPD)などと呼ばれる。UTRAは、広帯域CDMA(WCDMA(登録商標))と、CDMAの他の変形態とを含む。TDMAシステムは、モバイル通信用グローバルシステム(GSM)などの無線技術を実装し得る。
【０１６７】
OFDMAシステムは、ウルトラモバイルブロードバンド(UMB)、発展型UTRA(E-UTRA)、米国電気電子技術者協会(IEEE)802.11(Wi-Fi)、IEEE802.16(WiMAX)、IEEE802.20、Flash-OFDMなどの無線技術を実装することができる。UTRAおよびE-UTRAは、ユニバーサルモバイルテレコミュニケーションシステム(UMTS)の一部である。LTEおよびLTE-Aは、E-UTRAを使用するUMTSのリリースである。UTRA、E-UTRA、UMTS、LTE、LTE-A、NR、およびGSMは、「第3世代パートナーシッププロジェクト」(3GPP:3rd Generation Partnership Project)と称する団体からの文書に記載されている。CDMA2000およびUMBは、「第3世代パートナーシッププロジェクト2」(3GPP2:3rd Generation Partnership Project 2)と称する団体からの文書に記載されている。本明細書で説明した技法は、上述のシステムおよび無線技術、ならびに他のシステムおよび無線技術に使用され得る。LTEまたはNRシステムの態様について例として説明することがあり、説明の大部分においてLTEまたはNR用語が使用されることがあるが、本明細書で説明した技法はLTEまたはNR適用例以外に適用可能である。
【０１６８】
マクロセルは、一般に、比較的大きい地理的エリア(たとえば、半径数キロメートル)をカバーし、ネットワークプロバイダのサービスに加入しているUE115による無制限アクセスを可能にし得る。スモールセルは、マクロセルと比較して低電力の基地局105と関連付けられることがあり、スモールセルは、マクロセルと同じまたはマクロセルとは異なる(たとえば、認可、免許不要など)周波数帯域において動作することがある。スモールセルは、様々な例によれば、ピコセル、フェムトセル、およびマイクロセルを含み得る。ピコセルは、たとえば、小さい地理的エリアをカバーすることができ、ネットワークプロバイダのサービスに加入しているUE115による無制限アクセスを可能にし得る。フェムトセルも、小さい地理的エリア(たとえば、自宅)をカバーし得、フェムトセルとの関連付けを有するUE115(たとえば、限定加入者グループ(CSG)内のUE115、自宅内のユーザのためのUE115など)による制限付きアクセスを提供し得る。マクロセルのためのeNBは、マクロeNBと呼ばれることがある。スモールセルのためのeNBは、スモールセルeNB、ピコeNB、フェムトeNB、またはホームeNBと呼ばれることがある。eNBは、1つまたは複数(たとえば、2つ、3つ、4つなど)のセルをサポートすることができ、1つまたは複数のコンポーネントキャリアを使用する通信もサポートすることができる。
【０１６９】
本明細書で説明したワイヤレス通信システム100またはシステムは、同期動作または非同期動作をサポートし得る。同期動作の場合、基地局105は、同様のフレームタイミングを有することがあり、異なる基地局105からの送信は、時間的にほぼ揃えられることがある。非同期動作の場合、基地局105は、異なるフレームタイミングを有することがあり、異なる基地局105からの送信は、時間的に揃えられないことがある。本明細書で説明した技法は、同期動作または非同期動作のいずれかのために使用され得る。
【０１７０】
本明細書で説明する情報および信号は、多種多様な技術および技法のいずれを使用して表されてもよい。たとえば、上記の説明全体にわたって言及され得るデータ、命令、コマンド、情報、信号、ビット、シンボルおよびチップは、電圧、電流、電磁波、磁場もしくは磁性粒子、光場もしくは光学粒子、またはそれらの任意の組合せによって表され得る。
【０１７１】
本明細書の開示に関して説明した様々な例示的なブロックおよびモジュールは、汎用プロセッサ、DSP、ASIC、FPGAもしくは他のPLD、個別ゲートもしくはトランジスタ論理、個別ハードウェア構成要素、または本明細書で説明する機能を実行するように設計されたそれらの任意の組合せを用いて実装または実行され得る。汎用プロセッサはマイクロプロセッサであってよいが、代替として、プロセッサは、任意の従来のプロセッサ、コントローラ、マイクロコントローラ、または状態機械であってもよい。プロセッサはまた、コンピューティングデバイスの組合せ(たとえば、DSPとマイクロプロセッサの組合せ、複数のマイクロプロセッサ、DSPコアと連携する1つもしくは複数のマイクロプロセッサ、または任意の他のそのような構成)として実装され得る。
【０１７２】
本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、1つまたは複数の命令またはコードとして、コンピュータ可読媒体上に記憶されるか、またはコンピュータ可読媒体を介して送信され得る。他の例および実装形態は、本開示および添付の特許請求の範囲内に入る。たとえば、ソフトウェアの性質に起因して、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が異なる物理的ロケーションに実装されるように分散されることを含めて、様々な位置に物理的に位置してもよい。
【０１７３】
コンピュータ可読媒体は、ある場所から別の場所へのコンピュータプログラムの転送を容易にする任意の媒体を含む、非一時的コンピュータ記憶媒体と通信媒体の両方を含む。非一時的記憶媒体は、汎用コンピュータまたは専用コンピュータによってアクセスされ得る任意の利用可能な媒体であってよい。限定ではなく例として、非一時的コンピュータ可読媒体は、RAM、ROM、電気的消去可能プログラマブル読取り専用メモリ(EEPROM)、フラッシュメモリ、コンパクトディスク(CD)ROMまたは他の光ディスクストレージ、磁気ディスクストレージまたは他の磁気ストレージデバイス、あるいは、命令またはデータ構造の形態の所望のプログラムコード手段を担持または記憶するために使用され、汎用コンピュータもしくは専用コンピュータまたは汎用プロセッサもしくは専用プロセッサによってアクセスされ得る任意の他の非一時的媒体を含み得る。また、任意の接続がコンピュータ可読媒体と適切に呼ばれる。たとえば、ソフトウェアが、同軸ケーブル、光ファイバーケーブル、ツイストペア、デジタル加入者線(DSL)、または赤外線、無線、およびマイクロ波などのワイヤレス技術を使用してウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用されるディスク(disk)およびディスク(disc)は、CD、レーザーディスク(登録商標)(disc)、光ディスク(disc)、デジタル多用途ディスク(disc)(DVD)、フロッピーディスク(disk)、およびBlu-ray(登録商標)ディスク(disc)を含み、ディスク(disk)は、通常、データを磁気的に再生し、ディスク(disc)は、データをレーザーで光学的に再生する。上記のものの組合せも、コンピュータ可読媒体の範囲内に含まれる。
【０１７４】
特許請求の範囲内を含めて本明細書で使用される場合、項目のリスト(たとえば、「のうちの少なくとも1つ」または「のうちの1つまたは複数」などの句で終わる項目のリスト)において使用される「または」は、たとえば、A、B、またはCのうちの少なくとも1つのリストがAまたはBまたはCまたはABまたはACまたはBCまたはABC(すなわち、AおよびBおよびC)を意味するような包括的リストを示す。また、本明細書で使用される、「に基づいて」という句は、条件の閉集合への参照と解釈されないものとする。たとえば、「条件Aに基づいて」として説明した例示的なステップは、本開示の範囲から逸脱することなく、条件Aと条件Bの両方に基づき得る。言い換えれば、本明細書で使用される「に基づいて」という句は、「に少なくとも一部に基づいて」という句と同じように解釈されるべきである。
【０１７５】
添付の図では、同様の構成要素または特徴は同じ参照ラベルを有し得る。さらに、同じタイプの様々な構成要素は、参照ラベルの後に、ダッシュと、それらの同様の構成要素を区別する第2のラベルとを続けることによって区別され得る。第1の参照ラベルのみが本明細書で使用される場合、説明は、第2の参照ラベル、または他の後続の参照ラベルにかかわらず、同じ第1の参照ラベルを有する同様の構成要素のうちのいずれにも適用可能である。
【０１７６】
添付の図面に関して本明細書に記載される説明は、例示的な構成について説明しており、実装され得るかまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。発明を実施するための形態は、説明した技法の理解をもたらすための具体的な詳細を含む。しかしながら、これらの技法は、これらの具体的な詳細なしに実践され得る。いくつかの事例では、説明する例の概念を不明瞭にすることを回避するために、よく知られている構造およびデバイスがブロック図の形式で示される。
【０１７７】
本明細書の説明は、当業者が本開示を作成または使用することを可能にするように与えられる。本開示への様々な変更は当業者には容易に明らかとなり、本明細書で定義された一般原理は、本開示の範囲から逸脱することなく他の変形形態に適用され得る。したがって、本開示は、本明細書で説明する例および設計に限定されず、本明細書で開示する原理および新規の特徴に合致する最も広い範囲を与えられるべきである。
【符号の説明】
【０１７８】
100  ワイヤレス通信システム
105  基地局
105-a  基地局
105-b  基地局
110  カバレージエリア
115  UE
115-a  UE
115-b  UE
125  通信リンク
130  コアネットワーク
132  バックホールリンク
134  バックホールリンク
200  ワイヤレス通信システム
205  キャリア
210  周波数ホッピング方式
215  mフレーム
215-a  mフレーム
215-b  mフレーム
215-n  mフレーム
220  DRS
220-a  DRS
220-b  DRS
220-n  DRS
225  データセグメント
225-a  データセグメント
225-b  データセグメント
225-n  データセグメント
230-a  接続部分
230-b  接続部分
230-n  接続部分
235-a  データ部分
235-b  データ部分
235-n  データ部分
300  周波数ホッピング関数
305  Perm5
400  置換関数
405  Perm5
500  プロセスフロー
600  ブロック図
605  ワイヤレスデバイス
610  受信機
615  通信マネージャ
620  送信機
700  ブロック図
705  ワイヤレスデバイス
710  受信機
715  通信マネージャ
720  送信機
725  チャネル識別構成要素
730  マッピング構成要素
735  ホッピングシーケンス構成要素
740  ホッピング送信構成要素
800  ブロック図
805  ワイヤレスデバイス
815  通信マネージャ
820  チャネル識別構成要素
825  マッピング構成要素
830  ホッピングシーケンス構成要素
835  ホッピング送信構成要素
840  擬似乱数構成要素
845  置換構成要素
900  システム
905  デバイス
910  バス
915  通信マネージャ
920  プロセッサ
925  メモリ
930  ソフトウェア
935  トランシーバ
940  アンテナ
945  I/Oコントローラ
1000  システム
1005  デバイス
1010  バス
1015  通信マネージャ
1020  プロセッサ
1025  メモリ
1030  ソフトウェア
1035  トランシーバ
1040  アンテナ
1045  ネットワーク通信マネージャ
1050  局間通信マネージャ
1100  方法
1200  方法
1300  方法
1400  方法
1500  方法
1600  方法
【図１】
2021503212.tif 000003
【図２】
2021503212.tif 000004
【図３】
2021503212.tif 000005
【図４】
2021503212.tif 000006
【図５】
2021503212.tif 000007
【図６】
2021503212.tif 000008
【図７】
2021503212.tif 000009
【図８】
2021503212.tif 000010
【図９】
2021503212.tif 000011
【図１０】
2021503212.tif 000012
【図１１】
2021503212.tif 000013
【図１２】
2021503212.tif 000014
【図１３】
2021503212.tif 000015
【図１４】
2021503212.tif 000016
【図１５】
2021503212.tif 000017
【図１６】
2021503212.tif 000018
【国際調査報告】
2021503212.tif 000019
2021503212.tif 000020